(57)【要約】  特定の実施形態によれば、ネットワークノードにおける方法が開示される。方法は、チャネル情報を受信するために、所定のセットのＰ個のＣＳＩ−ＲＳポートからサブセットを選択することを含む。ネットワークノードは偏波を制御可能なアンテナアレイを備える。各ＣＳＩ−ＲＳポートは、リソースエレメントのセットおよびアンテナアレイのアンテナポートの組み合わせに対応する。所定のセットは、第一の偏波状態にある第一の数Ｐ1のＣＳＩ−ＲＳポートと、第二の偏波状態にある第二の数Ｐ2のＣＳＩ−ＲＳポートを含む。第一の偏波状態と第二の偏波状態は異なる。当該方法は、更に、第一の偏波状態および第二の偏波状態をそれぞれ有するＣＳＩ−ＲＳポートの比が、第一の数と第二の数との比と等しくなるようなやり方で、サブセットをＱ個のＣＳＩ−ＲＳポートに設定することを含む。  【選択図】図１９
2018533865.tif 000002
【特許請求の範囲】
【請求項１】
チャネル情報を受信するためのＰ個のＣＳＩ−ＲＳポートの所定のセットからサブセットを選択する方法であって、
前記方法は無線通信ネットワーク（１００）のネットワークノード（１１５）で実装され、前記ネットワークノードは偏波を制御可能なアンテナアレイを備え、
各ＣＳＩ−ＲＳポートは、リソースエレメントのセットおよび前記アンテナアレイのアンテナポートの組み合わせに対応し、
前記所定のセットは、第一の偏波状態にある第一の数Ｐ1のＣＳＩ−ＲＳポートと、第二の偏波状態にある第二の数Ｐ2のＣＳＩ−ＲＳポートを含み、前記第一の偏波状態と前記第二の偏波状態とは異なり、
前記方法は、前記第一の偏波状態および前記第二の偏波状態をそれぞれ有するＣＳＩ−ＲＳポートの比が、前記第一の数と前記第二の数との比と等しくなるようなやり方で、前記サブセットをＱ個のＣＳＩ−ＲＳポートに設定することを含む、ことを特徴とする方法。
【請求項２】
前記サブセットは、前記第一の偏波状態を有するＱＰ1／（Ｐ1＋Ｐ2）個のＣＳＩ−ＲＳポートと、前記第二の偏波状態を有するＱＰ2／（Ｐ1＋Ｐ2）個のＣＳＩ−ＲＳポートとに設定されることを特徴とする請求項１に記載の方法。
【請求項３】
Ｐ1＝Ｐ2であり、前記サブセットは前記第一の偏波状態および前記第二の偏波状態と等しい比率のＣＳＩ−ＲＳポートに設定されることを特徴とする請求項１または２に記載の方法。
【請求項４】
Ｐ1＋Ｐ2＝Ｐであることを特徴とする請求項１乃至３の何れか１項に記載の方法。
【請求項５】
前記サブセットの半分の前記ＣＳＩ−ＲＳポートは前記第一の偏波状態を有し、前記サブセットの半分の前記ＣＳＩ−ＲＳポートは前記第二の偏波状態を有することを特徴とする請求項３を参照する請求項４に記載の方法。
【請求項６】
Ｑ≦８であることを特徴とする請求項１乃至５の何れか１項に記載の方法。
【請求項７】
Ｑが２の倍数であることを特徴とする請求項１乃至６の何れか１項に記載の方法。
【請求項８】
Ｑ＝２、Ｑ＝４、またはＱ＝８であることを特徴とする請求項７に記載の方法。
【請求項９】
前記所定のセットの各ＣＳＩ−ＲＳポートは識別子に関連付けられることを特徴とする請求項１乃至８の何れか１項に記載の方法。
【請求項１０】
前記識別子は、前記ネットワークノードが、このＣＳＩ−ＲＳポートで前記ネットワークノードによって送信される参照信号に関するフィードバックを識別することを可能にすることを特徴とする請求項９に記載の方法。
【請求項１１】
前記識別子がフィードバック信号で明示的に示されること、
前記識別子がフィードバック信号の内部構造から暗示的に導出可能であること、
前記識別子がフィードバック信号を送信するために用いられるリソースから暗示的に導出可能であること、の何れか１つが成立することを特徴とする請求項９または１０に記載の方法。
【請求項１２】
前記ＣＳＩ−ＲＳポートの前記識別子は順序付けられたセットから選択されることを特徴とする請求項９乃至１１の何れか１項に記載の方法。
【請求項１３】
前記順序付けられたセットは、
整数のサブセット、
アルファベットのサブセット、の何れか１つであることを特徴とする請求項１１に記載の方法。
【請求項１４】
前記サブセットの前記設定は、前記ＣＳＩ−ＲＳポートが関連付けられた前記識別子を保つことを含むことを特徴とする請求項９乃至１３の何れか１項に記載の方法。
【請求項１５】
第一の偏波状態にある前記ＣＳＩ−ＲＳポートは第一の所定範囲にある識別子に関連付けられ、第二の偏波状態にある前記ＣＳＩ−ＲＳポートは第二の所定範囲にある識別子に関連付けられ、
（１）前記サブセットは、前記第一の所定範囲の下側部分のＱ／２個のＣＳＩ−ＲＳポートと、前記第二の所定範囲の下側部分のＱ／２個のＣＳＩ−ＲＳポートに設定されること、
（２）前記サブセットは、前記第一の所定範囲の上側部分のＱ／２個のＣＳＩ−ＲＳポートと、前記第二の所定範囲の上側部分のＱ／２個のＣＳＩ−ＲＳポートに設定されること、
の何れか１つが成り立つことを特徴とする請求項１１乃至１４の何れか１項に記載の方法。
【請求項１６】
各ＣＳＩ−ＲＳポートは、以下で与えられるポート番号である識別子に関連付けられ、
2018533865.tif 000026
ここで、ＫはＣＳＩ参照信号の構成の数であり、ｋは［０，Ｋ−１］の任意の整数であり、ＮはＫ個の構成のそれぞれのアンテナポートまたは参照信号の数であり、ｒは［１５，１４＋Ｎ］の任意の整数であることを特徴とする請求項１５に記載の方法。
【請求項１７】
前記所定のセットの各ＣＳＩ−ＲＳポートは、順序付けられたセットから選択された識別子に関連付けられ、
前記第一の数Ｐ1のＣＳＩ−ＲＳポートは、第一の所定範囲内の識別子に関連付けられ、前記第二の数Ｐ2のＣＳＩ−ＲＳポートは第二の所定範囲内の識別子に関連付けられ、
前記設定することは、前記サブセットを、前記第一の所定範囲の下側部分のいくつかのＣＳＩ−ＲＳポートと、前記第二の所定範囲の下側部分の等しい数のＣＳＩ−ＲＳポートに設定され、前記サブセットの各ＣＳＩ−ＲＳポートは、以下で与えられるポート番号ｐである識別子に関連付けられ、
2018533865.tif 000027
ここで、ＫはＣＳＩ参照信号の構成の数であり、ｋは［０，Ｋ−１］の任意の整数であり、ＮはＫ個の前記構成のそれぞれのアンテナポートまたは参照信号の数であり、ｒは［１５，１４＋Ｎ］の任意の整数であることを特徴とする請求項１に記載の方法。
【請求項１８】
前記サブセットは、数式１で与えられるポート番号を有するＣＳＩ−ＲＳポートを備えることを特徴とする請求項１６に記載の方法。
【請求項１９】
前記サブセットは、以下で与えられるポート番号に関連付けられたＱ個のＣＳＩ−ＲＳポートに設定され、
2018533865.tif 000028
ここではｋは
2018533865.tif 000029
かつＱ≧Ｎに制限されることを特徴とする請求項１６に記載の方法。
【請求項２０】
ＣＳＩ−ＲＳポートを、代替識別子であって、前記順序付けられたセットから選択され、前記ネットワークノードがＣＳＩ−ＲＳポートで前記ネットワークノードによって送信されるＣＳＩ参照信号に関する第一のタイプのフィードバックを識別することを可能にする、代替識別子に関連付けることをさらに含むことを特徴とする請求項１５乃至１８の何れか１項に記載の方法。
【請求項２１】
前記識別子は、前記代替識別子によって保たれる、前記ＣＳＩ−ＲＳポートの順序を定義することを特徴とする請求項２０に記載の方法。
【請求項２２】
前記代替識別子は連続していることを特徴とする請求項２１に記載の方法。
【請求項２３】
前記代替識別子ｐ’は、以下によって与えられ、
2018533865.tif 000030
ここでｑ＝０は前記第一の偏波状態であり、ｑ＝１は前記第二の偏波状態であることを特徴とする、請求項１９を参照する請求項２０に記載の方法。
【請求項２４】
集約されたリソースおよびポート番号を前記サブセットの各ＣＳＩ−ＲＳポートに割当てることをさらに含むことを特徴とする請求項１乃至２３の何れか１項に記載の方法。
【請求項２５】
前記サブセット内のＣＳＩ−ＲＳポートの数Ｑは前記所定のセット内のＣＳＩ−ＲＳポートの数Ｐの関数として決定することをさらに含むことを特徴とする請求項１乃至２４の何れか１項に記載の方法。
【請求項２６】
前記決定することが、
Ｑ＜ＰとなるようＱ≦８を選択すること、
Ｑ＜ＰとなるようＱ∈｛２，４，８｝を選択すること、
Ｑ＜Ｐとなるよう最大のＱ≦８を選択すること、
Ｑ＜Ｐとなるよう最大のＱ∈｛２，４，８｝を選択すること、
の何れか１つを含むことを特徴とする請求項２５に記載の方法。
【請求項２７】
前記方法は、２つの軸に沿って配置されるアンテナエレメントを有するアンテナアレイを備えるネットワークノードで実現されることを特徴とする請求項１乃至２６の何れか１項に記載の方法。
【請求項２８】
第一の偏波状態は１つの偏波方向を有するアンテナエレメントのリニアアレイに対応し、前記第二の偏波状態は第二の偏波方向を有するアンテナエレメントのリニアアレイに対応することを特徴とする請求項２７に記載の方法。
【請求項２９】
前記アンテナアレイは交差偏波アンテナエレメントを含むことを特徴とする請求項２８に記載の方法。
【請求項３０】
前記所定のセットからのＣＳＩ−ＲＳポートを介して複数のＣＳＩ参照信号を送信することと、
無線通信ネットワークの無線機器（１１０）からフィードバックを受信することと、をさらに含むことを特徴とする請求項１乃至２９の何れか１項に記載の方法。
【請求項３１】
第一または第二のタイプのフィードバックが利用可能であるか否かを決定することと、
前記第一のタイプのフィードバックが利用可能である場合、前記サブセットのＣＳＩ−ＲＳポートで参照信号を送信することと、
前記第二のタイプのフィードバックが利用可能である場合、前記所定のセットのＣＳＩ−ＲＳポートで参照信号を送信することと、
をさらに含むことを特徴とする請求項３０に記載の方法。
【請求項３２】
両方のタイプの報告のための共通したコードブックを用いることをさらに含むことを特徴とする請求項３１に記載の方法。
【請求項３３】
前記第一のタイプの報告のための第一のコードブックと、前記第二のタイプの報告のための第二のコードブックとを用いることをさらに含むことを特徴とする請求項３１に記載の方法。
【請求項３４】
前記第一のタイプのフィードバックは定期的なＣＳＩ報告であることを特徴とする請求項３１乃至３３の何れか１項に記載の方法。
【請求項３５】
前記無線機器に、前記ネットワークノードが構成されるアンテナポートの数Ｐを通知し、Ｐ個のＣＳＩ−ＲＳポートであって、Ｋ個の集約されたＮポートのＣＳＩ−ＲＳ構成であるＣＳＩ−ＲＳポートの合計に対応するＣＳＩ−ＲＳポートのセットアップを通知し、ここでＫは利用可能なＣＳＩ参照信号の構成の数である、通知する初期ステップをさらに含むことを特徴とする請求項１乃至３４の何れか１項に記載の方法。
【請求項３６】
集約されたリソースごとにＮ個のポートが構成され、前記方法は、
前記サブセットから、ｋ番目のコンポーネントリソースに対して、数式１によって与えられるポート数ｐに関連付けられたＣＳＩ−ＲＳポートを用いることをさらに含むことを特徴とする請求項１に記載の方法。
【請求項３７】
前記第一の偏波状態にある前記ＣＳＩ−ＲＳポートは前記第二の偏波状態にある前記ＣＳＩ−ＲＳポートとは異なり、第一の共位相係数は前記第一の偏波状態で前記ＣＳＩ−ＲＳポートに印加され、異なる第二の共位相係数は前記第二の偏波状態で前記ＣＳＩ−ＲＳポートに印加されることを特徴とする請求項１乃至３６の何れか１項に記載の方法。
【請求項３８】
前記第一の共位相係数、前記第二の共位相係数、またはその両方は、前記アンテナアレイのアンテナポートの数Ｐとは独立の所定の値のセットから選択されることを特徴とする請求項３７に記載の方法。
【請求項３９】
無線通信ネットワークのネットワークノード（１１５）によってサービスされる無線機器（１１０）の方法であって、前記ネットワークノードは前記無線機器に信号を送信するためのＰ＝８またはＰ＞８であるアンテナポートを備え、
前記方法は、
それぞれＮ個のＣＳＩ−ＲＳポートを有するＫ個のＣＳＩ−ＲＳ構成と、Ｐ個のアンテナポートを有する前記ネットワークノードのアンテナ構成とを含むＣＳＩ−ＲＳセットアップを前記ネットワークノードから受信することと、
Ｑ個のアンテナポートのサブセットを前記Ｐ個のアンテナポートから決定することと、
アンテナポートの前記サブセットに関連付けられた参照信号に基づきチャネル情報を測定することと、
前記ネットワークノードへ前記測定されたチャネル情報を報告することと、
を含むことを特徴とする方法。
【請求項４０】
前記ＣＳＩ−ＲＳセットアップの前記アンテナ構成はＰ個のＣＳＩ−ＲＳポートを含み、
Ｑ個のポートのサブセットを決定することは、前記Ｐ個のＣＳＩ−ＲＳポートから、第一のサブセットのＰ／２個のＣＳＩ−ＲＳポートと、第二のサブセットのＰ／２個のＣＳＩ−ＲＳポートとを決定することを含み、
前記第一のサブセットは、前記Ｋ個のＣＳＩ−ＲＳ構成のそれぞれからＮ／２個のＣＳＩ−ＲＳポートを含み、
前記第二のサブセットは、前記Ｋ個のＣＳＩ−ＲＳ構成のそれぞれの残りのＮ／２個のＣＳＩ−ＲＳポートを含むことを特徴とする請求項３９に記載の方法。
【請求項４１】
前記第一のサブセットは、状態情報フィードバックに用いられるコードブック内の長さＰ／２の第一のベクトルに対応し、前記ベクトルは、前記コードブックの取りうる値のセットから選択され、
前記第二のサブセットは長さＰ／２の前記第一のベクトルを複素数でスケーリングすることで取得可能な長さＰ／２の第二のベクトルに対応することを特徴とする請求項４０に記載の方法。
【請求項４２】
前記決定することは、前記第一のサブセットを以下のようにインデックスを付けられるＣＳＩ−ＲＳポートとして形成し、
2018533865.tif 000031
前記第二のサブセットを以下のようにインデックスを付けられるＣＳＩ−ＲＳポートとして形成し、
2018533865.tif 000032
両方のサブセットに対して、ｋはｋ＝０，１，…Ｋ−１となるよう前記Ｋ個のＣＳＩ−ＲＳ構成の範囲を変化することを特徴とする請求項４０または４１に記載の方法。
【請求項４３】
前記測定することと報告することとが定期的に実行されることを特徴とする請求項３９乃至４２の何れか１項に記載の方法。
【請求項４４】
前記決定することは、ポートが以下のようにインデックスを付けられる、Ｑ個の前記アンテナポートを導出することを含み、
2018533865.tif 000033
ここではｋは  
2018533865.tif 000034
に制限されることを特徴とする請求項３９乃至４３の何れか１項に記載の方法。
【請求項４５】
前記決定することは前記Ｑ個のアンテナポートを導出することを含み、前記ポートは前記Ｐ個のアンテナポートから、所定の規則に従い、数式１に従ってインデックスを付けられることを特徴とする請求項３９乃至４４の何れか１項に記載の方法。
【請求項４６】
前記導出されたＱ個のアンテナポートの前記インデックスは、Ｑ／２個のポートの前記第二のセット
2018533865.tif 000035
がポート｛１５＋Ｑ／２，…，１５＋Ｑ｝となるよう再度インデックス付けられるように再度順序付けられることを特徴とする請求項４４または４５に記載の方法。
【請求項４７】
前記測定することは、Ｑ個のポートのための所定のコードブックに基づき、ポートの前記サブセットに関連付けられた受信参照信号にわたって前記チャネル情報を推定することを含むことを特徴とする請求項３９に記載の方法。
【請求項４８】
各々がアンテナアレイを備える複数のネットワークノード（１１５）によってサービスされるように動作可能な無線通信ネットワーク（１００）で動作可能な無線機器（１１０）の方法であって、前記方法は、
第一のネットワークノード（１１５Ａ）によってサービスされている間に、前記第一のネットワークノード１１５からリソースエレメントの特定のセットにおいて参照信号を受信し、前記第一のネットワークノードへフィードバック情報を送信するし、前記参照信号または前記参照信号とリソースエレメントの前記セットとの組み合わせは識別子を示し、
前記第一のネットワークノードとは異なる第二のネットワークノード（１１５Ｂ）によってサービスされている間に、前記第二のネットワークノードからリソースエレメントの前記特定のセットにおいて参照信号を受信し、前記第二のネットワークノードへフィードバック情報を送信し、前記参照信号または前記参照信号とリソースエレメントの前記セットとの組み合わせは識別子を示し、
前記参照信号は、前記識別子の同一性に関わらず、前記第一のネットワークノードおよび前記第二のネットワークノードから異なるビームフォーミングで受信される、ことを特徴とする方法。
【請求項４９】
ネットワークノード（１１５）であって、
偏波を制御可能なアンテナアレイと、
１つ以上のプロセッサであって、
チャネル情報を受信するためのＰ個のＣＳＩ−ＲＳポートの所定のセットであって、各ＣＳＩ−ＲＳポートは、リソースエレメントのセットと前記アンテナアレイのアンテナポートとの組み合わせに対応し、前記所定のセットは第一の偏波状態にある第一の数Ｐ1のＣＳＩ−ＲＳポートと第二の偏波状態にある第二の数Ｐ2のＣＳＩ−ＲＳポートとを含み、前記第一の偏波状態と前記第二の偏波状態とは異なる、所定のセットからサブセットを選択し、
前記第一の偏波状態および前記第二の偏波状態をそれぞれ有するＣＳＩ−ＲＳポートの比が、前記第一の数と前記第二の数との比と等しくなるようなやり方で、前記サブセットをＱ個のＣＳＩ−ＲＳポートに設定する、
ように構成されるプロセッサと、を備えることを特徴とするネットワークノード。
【請求項５０】
無線通信ネットワークにおいてネットワークノード（１１５）によってサービスされるよう構成された無線機器（１１０）であって、前記ネットワークノードは前記無線機器に信号を送信するためのＰ＝８またはＰ＞８のアンテナポートを備え、前記無線機器は、
１つ以上のプロセッサであって、
それぞれＮ個のＣＳＩ−ＲＳポートを有するＫ個のＣＳＩ−ＲＳ構成と、Ｐ個のアンテナポートを有する前記ネットワークノードのアンテナ構成とを含むＣＳＩ−ＲＳセットアップを、前記ネットワークノードから受信し、
Ｑ個のアンテナポートのサブセットを前記Ｐ個のアンテナポートから決定し、
アンテナポートの前記サブセットに関連付けられた前記参照信号に基づきチャネル情報を測定し、
前記ネットワークノードへ前記測定されたチャネル情報を報告する、
よう構成された１つ以上のプロセッサを備えることを特徴とする無線機器。
【請求項５１】
それぞれがアンテナアレイを備える複数のネットワークノード（１１５）によってサービスされるよう構成された無線機器（１１０）であって、前記無線機器は、
１つ以上のプロセッサを備え、前記１つ以上のプロセッサは、
第一のネットワークノード（１１５Ａ）によってサービスされる間に、前記第一のネットワークノードからリソースエレメントの特定のセットにおいて参照信号を受信し、前記第一のネットワークノードへフィードバック情報を送信し、ここで前記参照信号または前記参照信号とリソースエレメントの前記セットとの組み合わせは識別子を示し、
前記第一のネットワークノードとは異なる第二のネットワークノード（１１５Ｂ）によってサービスされている間に、前記第二のネットワークノードから前記特定のリソースエレメントで参照信号を受信し、前記第二のネットワークノードへフィードバック情報を送信し、ここで前記参照信号または前記参照信号とリソースエレメントの前記セットとの組み合わせは識別子を示し、
前記無線機器は、前記参照信号を、前記識別子の同一性に関わらず、前記第一のネットワークノードおよび前記第二のネットワークノードから異なるビームフォーミングで受信するよう構成されることを特徴とする無線機器。
【請求項５２】
非一過性のコンピュータ可読媒体に格納された命令を含むコンピュータプログラム製品であって、プロセッサによって実行された場合に、
チャネル情報を受信するためのＰ個のＣＳＩ−ＲＳポートであって、各ＣＳＩ−ＲＳポートは、リソースエレメントのセットとアンテナアレイのアンテナポートとの組み合わせに対応し、前記所定のセットは第一の偏波状態にある第一の数Ｐ1のＣＳＩ−ＲＳポートと第二の偏波状態にある第二の数Ｐ2のＣＳＩ−ＲＳポートとを含み、前記第一の偏波状態と前記第二の偏波状態とは異なる、Ｐ個のＣＳＩ−ＲＳポートの所定のセットからサブセットを選択し、
前記第一の偏波状態および前記第二の偏波状態をそれぞれ有するＣＳＩ−ＲＳポートの比が、前記第一の数と前記第二の数との比と等しくなるようなやり方で、前記サブセットをＱ個のＣＳＩ−ＲＳポートに設定する、動作を実行することを特徴とするコンピュータプログラム製品。
【請求項５３】
非一過性のコンピュータ可読媒体に格納された命令を含むコンピュータプログラム製品であって、プロセッサによって実行された場合に、
ネットワークノード（１１５）であって、前記無線機器に信号を送信するためのＰ＝８またはＰ＞８個のアンテナポートを備える、ネットワークノードから、それぞれＮ個のＣＳＩ−ＲＳポートを有するＫ個のＣＳＩ−ＲＳ構成と、Ｐ個のアンテナポートを有する前記ネットワークノードのアンテナ構成とを含むＣＳＩ−ＲＳセットアップを受信し、
前記Ｐ個のアンテナポートからＱ個のアンテナポートのサブセットを決定し、
アンテナポートの前記サブセットに関連付けられた前記参照信号に基づきチャネル情報を測定し、
前記ネットワークノードへ前記測定されたチャネル情報を報告する、動作を実行することを特徴とするコンピュータプログラム製品。
【請求項５４】
非一過性のコンピュータ可読媒体に格納された命令を含むコンピュータプログラム製品であって、プロセッサによって実行された場合に、
第一のネットワークノード（１１５Ａ）によってサービスされている間に、前記第一のネットワークノードから、参照信号であって、参照信号または参照信号とリソースエレメントのセットとの組み合わせは識別子を示す、参照信号を特定のリソースエレメントにおいて受信し、前記第一のネットワークノードへフィードバック情報を送信し、
第一のネットワークノードと異なる第二のネットワークノード（１１５Ｂ）によってサービスされている間に、前記第二のネットワークノードから、参照信号であって、参照信号または参照信号とリソースエレメントのセットとの組み合わせは識別子を示す参照信号を特定のリソースエレメントの前記セットにおいて受信し、第二のネットワークノードへフィードバック情報を送信する、動作を実行し、
前記参照信号は、前記識別子の同一性に関わらず、前記第一のネットワークノードおよび前記第二のネットワークノードから異なるビームフォーミングで受信されることを特徴とするコンピュータプログラム製品。
【発明の詳細な説明】
【技術分野】
【０００１】
本開示は、一般的には、無線通信に関し、より具体的には、ＣＳＩ報告のためのＣＳＩ−ＲＳポートのサブセットのリソースマッピングおよび選択のためのＣＳＩ−ＲＳポートに関する。
【０００２】
［関連ケースの相互参照］
本出願は、２０１５年１１月５日に出願され「Ｍｅｔｈｏｄ  ｏｆ  ＣＳＩ−ＲＳ  Ｐｏｒｔ  Ｓｅｌｅｃｔｉｏｎ  ｆｏｒ  ＣＳＩ  ｒｅｐｏｒｔｉｎｇ  ｏｎ  ＰＵＣＣＨ」と題された米国仮特許出願第６２／２５１５７４号の優先権を主張するものであり、本明細書で参照によってその内容全体が組み込まれる。
【背景技術】
【０００３】
図１は基本的なＬＴＥ（Ｌｏｎｇ  Ｔｅｒｍ  Ｅｖｏｌｕｔｉｏｎ）ダウンリンク物理リソースを示す。ＬＴＥはダウンリンクでは直交周波数分割多重（ＯＦＤＭ）を、アップリンクでは離散フーリエ変換（ＤＦＴ）拡散ＯＦＤＭを用いる。基本的なＬＴＥダウンリンクの物理リソースは時間−周波数グリッドとしてみることができ、各リソースエレメント（または時間／周波数リソースエレメント（ＴＦＲＥ））は１つのＯＦＤＭシンボル期間中の１つのＯＦＤＭサブキャリアに対応する。
【０００４】
図２は、ＬＴＥの時間ドメインの構造を示す。時間ドメインにおいて、ＬＴＥダウンリンク送信は１０ｍｓの無線フレームに編成される。各無線フレームは１０分割された長さＴsubframe＝１ｍｓのサブフレームから構成される。
【０００５】
さらに、ＬＴＥのリソース配置は、典型的にはリソースブロック（ＲＢ）の観点から説明され、リソースブロックは時間ドメインにおける１スロット（０．５ｍｓ）、周波数ドメインの１２の連続したサブキャリアに対応する。リソースブロックは、システム帯域幅の一端から０から始まる周波数ドメインで番号付けられる。
【０００６】
図３は例示的なダウンリンクサブフレームを示す。ダウンリンク送信は動的にスケジューリングされる。言い換えれば、各サブフレームで、基地局はどの端末のデータが送信され、どのリソースブロックで現在のダウンリンクサブフレームにおいてデータが送信されるかについての制御情報を送信する。制御信号は典型的には各サブフレームの最初の１、２、３、または４つのＯＦＤＭシンボルで送信される。例えば、図３は制御として３つのＯＦＤＭシンボルを用いるダウンリンクシステムを示す。
【０００７】
ＬＴＥはハイブリッドＡＲＱを用い、サブフレームでダウンリンクデータを受信した後、端末はその復号を試み、基地局に復号が成功したか報告する。復号が成功した場合、端末は基地局に応答（ＡＣＫ）を報告する。逆に、復号が成功しなかった場合、端末は基地局に否定応答（ＮＡＫ）を報告する。失敗した復号の試みの場合、基地局は誤りのあるデータを再送することができる。
【０００８】
端末から基地局へのアップリンク制御シグナリングは受信したダウンリンクデータに対するハイブリッドＡＲＱ応答を含む。アップリンク制御シグナリングは、ダウンリンクスケジューリングを支援するために用いられるダウンリンクチャネルのコンディションに関する端末報告も含んでもよい。付加的に、アップリンク制御シグナリングは、移動端末がアップリンクデータ送信のためのアップリンクリソースを必要としていることを示すスケジューリング要求を含んでもよい。移動端末がデータ送信のためのアップリンクリソースを割り当てられていない場合、Ｌ１／Ｌ２制御情報（レイヤ１／レイヤ２制御情報、例えばチャネル状態情報（ＣＳＩ）報告、ハイブリッドＡＲＱ応答、およびスケジューリング要求）は、物理アップリンク制御チャネル（ＰＵＣＣＨ）のアップリンクＬ１／Ｌ２制御のために具体的に割当てられたアップリンクリソース（リソースブロック）で送信される。
【０００９】
図４はＰＵＣＣＨでのアップリンクＬ１／Ｌ２制御シグナリングの送信を示す。ＰＵＣＣＨにおけるアップリンクＬ１／Ｌ２制御に割当てられたアップリンクリソースは利用可能なセル帯域幅の全体の端部に配置される。それぞれのそのようなリソースは、アップリンクサブフレームの２つのスロットのそれぞれの中にある１２個のサブキャリア（１つのリソースブロック）で構成される。周波数ダイバーシティをもたらすために、これらの周波数リソースはスロット境界で周波数ホッピングする（すなわち、１つの「リソース」はサブフレームの第一のスロット内のスペクトラムの上部にある１２個のサブキャリアから、サブフレームの第二のスロットの間はスペクトラムの下部にある同じサイズのリソースから、またはその逆から構成される）。アップリンクＬ１／Ｌ２制御シグナリングにより多くのリソースが必要な場合、例えば多数のユーザをサポートする非常に大きな全体の送信帯域幅の場合、付加的なリソースブロックは以前割り当てられたリソースブロックに隣接して割当てられうる。
【００１０】
上述したように、アップリンクＬ１／Ｌ２制御シグナリングはハイブリッドＡＲＱ応答、チャネル状態情報報告、およびスケジューリング要求を含む。これらのタイプのメッセージの異なる組み合わせは以下で説明するように可能であるが、これらの場合の構造を説明するために、ハイブリッドＡＲＱおよびスケジューリング要求を起点として、最初に各タイプのそれぞれの送信を個別に論じることが有益である。ＰＵＣＣＨに対して定義された３つのフォーマットがあり、それぞれは異なる数のビットを搬送することができる。以下でＰＵＣＣＨのフォーマット２の簡単な説明を提供する。
【００１１】
ＰＵＣＣＨフォーマット２では、チャネル状態情報報告は、チャネル依存スケジューリングを補助するために、ｅＮｏｄｅＢに端末におけるチャネル特性の推定を提供するために用いられる。チャネル状態情報報告は、サブフレームごとの複数ビットから構成される。サブフレームごとに多くとも２ビットの情報しか可能ではないＰＵＣＣＨフォーマット１はこの目的に適していなくてもよい。ＰＵＣＣＨでのチャネル状態情報報告の送信は、代わりに、サブフレームごとに複数の情報ビットが可能であるＰＵＣＣＨフォーマット２によって扱われる。ＬＴＥ仕様書では、３つの変形、フォーマット２、２ａ、および２ｂが存在する。フォーマット２ａおよび２ｂはハイブリッドＡＲＱの同時送信のために用いられる（以下で詳細に説明する）。簡単のため、本明細書ではそれらは全てフォーマット２と呼ばれうる。ＰＵＣＣＨフォーマット２のリソースは準静的に構成される。
【００１２】
マルチアンテナ技術は、無線通信システムのデータレートおよび信頼性を著しく向上させうる。送信器と受信器の両方が複数のアンテナを備える場合、ＭＩＭＯ（多入力多出力）通信チャネルによって、性能が特に改善される。そのようなシステムおよび／または関連する技術は一般的にＭＩＭＯと呼ばれる。
【００１３】
現在、ＬＴＥ規格は、ＭＩＭＯサポートの拡張によって進化している。ＬＴＥにおけるコアコンポーネントは、ＭＩＭＯアンテナ配置およびＭＩＭＯに関連する技術のサポートである。ＬＴＥ−Ａｄｖａｎｃｅｄは、チャネル依存のプリコーディングを備える８個の送信（Ｔｘ）アンテナのための８レイヤの空間多重化モードをサポートする。空間多重化モードは、良好なチャネルコンディションにおける高データレートを目的とする。
【００１４】
図５は空間多重化動作の一例を示す。より具体的には、図５はＬＴＥのプリコードされた空間多重化モードの例示的な送信構造を示す。図示するように、シンボルベクトルｓを搬送する情報はＮT×ｒのプリコーダ行列によって乗算され、ＮT次元ベクトル空間（ＮT個のアンテナポートに対応）の部分空間に送信エネルギーを分散させるように働く。典型的には、プリコーダ行列は可能なプリコーダ行列のコードブックから選択され、典型的には、所与の数のシンボルストリームに対してコードブック内の固有なプリコーダ行列を特定する、プリコーダ行列インジケータ（ＰＭＩ）によって指示される。ｓ中のｒシンボルはそれぞれレイヤに対応し、ｒは送信ランクと呼ばれる。このようにして、複数シンボルが同一の時間／周波数リソースエレメント（ＴＦＲＥ）にわたって同時に送信されうるため、空間多重化が達成される。シンボル数ｒは典型的には現在のチャネル特性に合うように適合される。
【００１５】
ＬＴＥはダウンリンクではＯＦＤＭ（そしてアップリンクではＤＦＴプリコードＯＦＤＭ）を用い、したがって、サブキャリアｎ（または代替的にデータＴＦＲＥ番号ｎ）上の特定のＴＦＲＥに対するＮR個の受信アンテナポートにわたるＮR×１の受信ベクトルｙnは、
2018533865.tif 000003
によってモデル化され、
ここでＨnはｅＮｏｄｅＢとＵＥとの間のチャネル行列であり、Ｗはプリコーディングベクトルであり、ｓnは送信シンボルベクトルであり、ｅnはランダムプロセスの実現として得られる雑音／干渉ベクトルである。プリコーダＷは、周波数にわたって一定な広帯域なプリコーダ、または周波数選択的（すなわち異なるサブバンドの異なるプリコーダ）であってもよい。
【００１６】
プリコーダ行列は、しばしばＮR×ＮTのMIMOチャネル行列の特性に一致するように選択され、いわゆるチャネル依存プリコーディングをもたらす。これは一般に閉ループプリコーディングと呼ばれ、本質的には、部分空間に送信エネルギーを集中させるよう目指しており、ＵＥへできるだけ多くの送信エネルギーを搬送するという観点で優れる。加えて、プリコーダ行列は、ＵＥにおいて適切な線形等化の後、レイヤ間干渉が減少することを意味する、チャネルの直交化を目指して選択されてもよい。
【００１７】
送信ランク、およびしたがって空間的に多重化されたレイヤの数は、プリコーダの列数に反映される。効率的な性能のために、チャネル特性に一致する送信ランクが選択されることは重要である。
【００１８】
ＬＴＥリリース１０では、チャネル状態情報を推定するための新たな参照シンボルシーケンス、チャネル状態情報参照信号（ＣＳＩ−ＲＳ）が導入された。ＣＳＩ−ＲＳは、以前のリリースでこの目的のために使用されていたセル特有の参照信号（ＣＲＳ）におけるＣＳＩフィードバックをベースにすることに比べていくつかの利点をもたらす。第一に、ＣＳＩ−ＲＳはデータ信号の復調に用いられず、それゆえ同一の密度を必要としない（すなわち、ＣＳＩ−ＲＳのオーバーヘッドは実質的に少ない）。第二に、ＣＳＩ−ＲＳはＣＳＩフィードバック測定を構成するためのずっと柔軟な方法をもたらす（例えば、どのＣＳＩ−ＲＳリソースを測定するかは、ＵＥ特有のやり方で構成されうる）。
【００１９】
ＣＳＩ−ＲＳで測定することで、ＵＥはＣＳＩ−ＲＳがトラバースしている有効チャネル（無線伝搬チャネルおよびアンテナゲインを含む）を推定することができる。これは、既知のＣＳＩ−ＲＳ信号ｘが送信された場合、ＵＥは送信信号と受信信号との間の結合（すなわち、有効チャネル）を推定することができるということを暗示している。さらに、送信において仮想化が行われていない場合、受信信号ｙは
2018533865.tif 000004
として表現されることができ、ＵＥは有効チャネルＨを推定することができる。
【００２０】
リリース１１のＵＥに対して、最大８個のＣＳＩ−ＲＳポートが構成されうる。すなわち、ＵＥは最大８個の送信アンテナからのチャネルを推定することができる。
【００２１】
図６Ａ〜６Ｃは、リソースエレメント・グリッドを示す。より具体的には、図６Ａ〜６Ｃはリリース９／１０のＵＥ特有のＲＳ、（ＣＳＩ−ＲＳアンテナポートに対応する数でマークされた）ＣＳＩ−ＲＳ、およびＣＲＳの可能性がある位置を示すＲＢペアにわたるリソースエレメント・グリッドを示す。ＣＳＩ−ＲＳは、２個の連続するＲＥに２個のアンテナポートを重ねるために、長さ２の直交カバーコード（ＯＣＣ）を利用する。図６Ａ〜６Ｃに示すように、多くの異なるＣＳＩ−ＲＳパターンが利用可能である。２個のＣＳＩ−ＲＳアンテナポートの場合、サブフレーム内で２０個の異なるパターンが存在することが分かる。対応するパターンの数は、４および８のＣＳＩ−ＲＳアンテナポートについてはそれぞれ１０および５である。
【００２２】
ＴＤＤに対して、いくつかの付加的なＣＳＩ−ＲＳパターンが利用可能である。
【００２３】
ＣＳＩ参照信号構成は、ＴＳ  ３６．２１１  ｖ．１２．５．０から抜粋した以下の表６．１０．５．２−１に示す。例えば、４個のアンテナポートに対するＣＳＩ−ＲＳ構成５はスロット１（サブフレームの第二スロット）の（ｋ’，ｌ’）＝（９，５）を用いる。以下の公式を用いることで、（ＰＲＢインデックスｍ＝０を仮定すると）それぞれ、ポート１５、１６はリソースエレメント（ｋ、ｌ）＝（９、５）、（９、６）でＯＣＣを用い、ポート１７、１８はリソースエレメント（ｋ、ｌ）＝（３、５）、（３、６）でＯＣＣを用いると決定されうる（ｋはサブキャリアインデックスであり、ｌは各スロットにおけるＯＦＤＭシンボルインデックス）。
【００２４】
直交カバーコード（ＯＣＣ）は以下の係数ｗl''によって導入される。
2018533865.tif 000005
2018533865.tif 000006
表６．１０．５．２−１：通常のサイクリックプレフィックスのための（ｋ’，ｌ’）のＣＳＩ参照信号の構成からのマッピング
2018533865.tif 000007
ＣＳＩフィードバックに対して、ＬＴＥは暗示的なＣＳＩメカニズムを採用しており、例えばＵＥは測定された有効チャネルの複素数エレメントを明示的に報告はしないが、ＵＥは測定された有効チャネルに対する送信構成を推奨する。したがって、推奨された送信構成は、その根底にあるチャネル状態についての情報を暗示的に与える。
【００２５】
ＬＴＥでは、ＣＳＩフィードバックは送信ランクインジケータ（ＲＩ）、プリコーダ行列インジケータ（ＰＭＩ）、および１つか２つのチャネル品質インジケータ（ＣＱＩ）の観点から与えられる。ＣＱＩ／ＲＩ／ＰＭＩ報告は、どの報告モードが構成されるかによって、広帯域または周波数選択的でありうる。ＲＩは、空間多重化され、有効チャネルにわたって並行して送信されるべき推奨されたストリーム数に対応する。ＰＭＩは、有効チャネルの空間特性に関する送信のための（ＣＳＩ−ＲＳポートの数と同じ数の行を有するプリコーダを含むコードブックにおける）推奨されたプリコーダを識別する。ＣＱＩは推奨されたトランスポートブロックのサイズ（すなわち、符号化率）を表し、ＬＴＥは、１つか２つのトランスポートブロック（すなわち、個別に符号化された情報のブロック）の、サブフレームにおけるＵＥへの（異なるレイヤでの）同時送信をサポートする。したがって、１つ以上のトランスポートブロックが送信される空間ストリームのＣＱＩとＳＩＮＲとの間には関係がある。
【００２６】
ＬＴＥリリース１０では、ＣＳＩフィードバックは複数ダウンリンクキャリアに対応することができ、この場合、ＣＱＩ／ＰＭＩ／ＲＩのようなＣＳＩフィードバックは、各ダウンリンクキャリアに対応する各サービングセルに対して提供されうる。この文脈において、ネットワークノードのアンテナ構成のＰ個のアンテナポートは同一のサービングセル上に存在し、セルのためのＰ個のアンテナポートに対するＣＱＩ／ＰＭＩ／ＲＩ報告はサービングセル上に存在するＰ個のアンテナポートに対応する。
【００２７】
ＬＴＥリリース１１では、ＣＳＩプロセスは、各ＣＳＩプロセスがＣＳＩ−ＲＳリソースおよびＣＳＩ干渉測定（ＣＳＩ−ＩＭ）リソースに関連付けられるように定義される。送信モード１０のＵＥは、より高いレイヤによって、サービングセルごとに１つ以上の（４つまでの）ＣＳＩプロセスで構成されることができ、ＵＲによって報告される各ＣＳＩはＣＳＩプロセスに対応する。ＵＥは、ＣＳＩプロセスに対する報告されたＲＩが、ＲＩ参照ＣＳＩプロセスに対するものと同一となるよう、任意のＣＳＩプロセスに対するＲＩ参照ＣＳＩプロセスで構成されてもよい。この構成は、別のＲＩが同一の仮説について最良の選択であるとあったとしても、ＵＥがいくつかの異なる干渉仮説について同一のＲＩを報告することを強制するために用いられてもよい。さらに、ＵＥはより高いレイヤのシグナリングによるそれぞれのＣＳＩプロセスのために構成されたプリコーダ・コードブックサブセット内のＰＭＩおよびＲＩを報告するよう制限される。この構成は、ＵＥが特定のＣＳＩプロセスに対して特定のランクを報告するよう強制するために用いられてもよい。
【００２８】
不定期な（すなわち、ｅＮＢによってトリガされる）ＣＳＩ報告および定期的なＣＳＩ報告の両方がサポートされる（それぞれＡ−ＣＳＩおよびＰ−ＣＳＩとして知られる）。ＣＳＩ報告はＣＳＩフィードバックとしても呼ばれ、これらの用語は本明細書で区別せずに使われてもよい。ＣＳＩプロセスにおいて、ＵＥが測定を実行するためのＣＳＩ−ＲＳポートのセットが構成される。これらのＣＳＩ−ＲＳポートは例えば５ｍｓ、１０ｍｓ、２０ｍｓ、または任意の他の適切な周期で定期的に送信される。定期的なＣＳＩ報告はＰＵＣＣＨフォーマット２（またはその変形２ａ、２ｂ）を用い、同様に構成された周期を有し（例えば２０ｍｓ）、そして最大で１１ビットを含む狭いビットパイプである。
【００２９】
３ＧＰＰの最近の動向は２次元アンテナアレイの議論が行われ、各アンテナエレメントは、これによって垂直および水平次元の両方でビームフォーミングが可能である、独立した位相および振幅制御を有する。そのようなアンテナアレイは、水平次元に対応するアンテナの列数Ｎh、垂直次元に対応するアンテナの列数Ｎv、そして異なる偏波に対応する次元数Ｎpによって少なくとも部分的に説明されてもよい。したがって、合計のアンテナ数はＮ＝ＮhＮvＮpである。
【００３０】
図７は交差偏波アンテナエレメントの二次元アンテナアレイの一例を示す。より具体的には、図７はＮh＝４の水平アンテナエレメントとＮv＝８の垂直アンテナエレメントを有するアンテナの一例を示す。これはさらに交差偏波アンテナエレメントを含み、偏波状態の数Ｎp＝２を意味する。そのようなアンテナは、交差偏波アンテナエレメントを有する８×４のアンテナアレイとして表されうる。右手側は２個の垂直ポートと４個の水平ポートとを有する例示的なポートレイアウトを示し、例えば４つの垂直アンテナ素子によって各ポートを仮想化することによって得られる。さらに、交差偏波ポートが存在すると仮定すると、ＵＥは本例では１６アンテナポートを測定しうる。
【００３１】
しかしながら、無線機器の観点からは、アンテナアレイエレメントの実際の数は無線機器には見ることができず、むしろ各ポートがＣＳＩ参照信号に対応するアンテナポートは見ることができる。無線機器はそれゆえこれらのポートのそれぞれからチャネルを測定する。それゆえ、水平次元に対応するアンテナポート数Ｍh、垂直次元に対応するアンテナの列数Ｍv、および異なる偏波に対応する次元数Ｍpによって説明される２次元のポートレイアウトを紹介する。アンテナポートの合計数はしたがってＭ＝ＭhＭvＭpである。これらのポートのＮ個のアンテナエレメントへのマッピングは、ｅＮＢの実装の問題であり、無線機器によっては見ることができない。無線機器はＮの値も知らず、ポート数Ｍの値のみを知る。
【００３２】
プリコーディングは、送信の前に各アンテナポートについて異なるビームフォーミングの重みを有する信号を乗算するものとして解釈されてもよい。典型的なアプローチは、プリコーダをアンテナの形状係数に適合させる（すなわち、プリコーダコードブックを設計する場合にＭh、Ｍv、およびＭpを考慮に入れる）ことである。
【００３３】
２次元アンテナアレイのために適合されたプリコーダコードブックを設計する場合の一般的なアプローチは、クロネッカー積によって、水平アレイに合わせたプリコーダとアンテナポートの垂直アレイとを組み合わせることである。これは、プリコーダ（の少なくともその一部）は以下の関数として記述されることができ、
2018533865.tif 000008
ここで、ＷHは、ＮH個のコードワードを含むＸHから得られた水平プリコーダである。同様に、ＷVは、ＮV個のコードワードを含むＸVから得られた垂直プリコーダである。
2018533865.tif 000009
で示されるジョイントコードブックは、したがってＮH・ＮV個のコードワードを含む。ＸH個のコードワードはｋ＝０、…、ＮH−１でインデックス付けられ、ＸV個のコードワードはｌ＝０、…、ＮV−１でインデックス付けられ、ジョイントコードブック
2018533865.tif 000010
のコードワードはｍ＝ＮV・ｋ＋ｌ（ｍ＝０、…、ＮH・ＮV−１を意味する）でインデックス付けられる。
【００３４】
リリース１２およびそれ以前の無線機器に対して、２、４、または８個のアンテナポートを有する１次元のポートレイアウトに対するコードブックフィードバックのみがサポートされる。さらに、コードバックは直線上に配置されたポートを想定して設計される。
【００３５】
不定期なＣＳＩ報告に対する測定より、より少ない定期的なＣＳＩ報告に対するＣＳＩ−ＲＳポートでの測定を使用する方法が提案されている。１つのシナリオでは、定期的なＣＳＩ報告フレームワークはレガシー端末の定期的なＣＳＩ報告フレームワークと一致する。さらに、２、４、または８個のＣＳＩ−ＲＳポートを有する定期的なＣＳＩ報告は、Ｐ−ＣＳＩ報告に用いられ、付加的なポートはＡ−ＣＳＩ報告に用いられる。ＵＥおよびｅＮＢの観点から、定期的なＣＳＩ報告に関する動作はレガシーな動作と同一である。最大６４ポートまたはそれ以上の完全な大きな２次元ポートレイアウトのＣＳＩ測定は、不定期な報告にのみ存在する。Ａ−ＣＳＩはＰＵＳＣＨで実行されるため、ペイロードは、ＰＵＣＣＨフォーマット２を用いるＰ−ＣＳＩの小さい１１ビット制限よりずっと大きくてもよい。
【００３６】
１２ポートまたは１６ポートの場合、クラスＡ（またはプリコーディングされていないＣＳＩ−ＲＳ）ＣＳＩ報告用のＣＳＩ−ＲＳリソースは、それぞれＮ個のポートを持つＫ個のＣＳＩ−ＲＳ構成の集約（アグリゲーション）として構成される。ＣＤＭ−２の場合、Ｋ個のＣＳＩ−ＲＳリソース構成はＴＳ  ３６．２１１のレガシーなリソース構成に従うＣＳＩ−ＲＳ  ＲＥ配置を示す。１６ポートでは、（Ｎ，Ｋ）＝（８，２）または（２，８）である。１２ポートでは、（Ｎ，Ｋ）＝（４，３）または（２，６）である。集約されたリソースのポートは以下の通り、
・集約されたポート番号は１５，１６，…，３０  （１６個のＣＳＩ−ＲＳポートの場合）
・集約されたポート番号は１５，１６，…，２６  （１２個のＣＳＩ−ＲＳポートの場合）
である。
【００３７】
所与のＰ個のアンテナポートに対して、リリース１０及び１２のプリコーディングコードブックは、最初のＰ／２個のアンテナポート（例えば、Ｐ＝１６の場合は１５〜２２）が共偏波アンテナのセットにマッピングされるべきで、最後のＰ／２個のアンテナポート（Ｐ＝１６の場合には２３〜３０）は、最初のセットと直交偏波を有する共偏波アンテナの別のセットにマッピングされるように、設計される。例えば、第一のサブセットは、コードブックの長さＰのプリコーディングベクトルの長さＰ／２の第一のベクトルに関連付けられる。第二のサブセットは長さＰのプリコーディングベクトルの長さＰ／２の第二のベクトルに関連付けられ、長さＰ／２の第二のベクトルは、長さＰ／２の第一のベクトルを複素数によってスケーリングすることによって得られる。したがってこれは交差偏波アンテナアレイ、より一般的には少なくとも２つの異なる偏波状態を有するアンテナアレイを対象にしている。
【００３８】
図８はＰ＝８のアンテナポートのポート番号を示す。ランク１の場合のコードブックの原理は、ＤＦＴ「ビーム」ベクトルがＰ／２個のポートの各セットに対して選択され、ＱＰＳＫアルファベットを有する位相シフトが２セットのアンテナポートを共位相にするために用いられる。したがって、ランク１のコードブックは以下のように構成され、
2018533865.tif 000011
ここでａはそれぞれ第一および第二の偏波のビームを形成する長さＰ／２のベクトルであり、ωは２つの直交偏波を共位相にする共位相スカラである。
【発明の概要】
【００３９】
特定の実施形態によれば、ネットワークノードにおける方法が開示される。方法は、チャネル情報を受信するために、所定のセットのＰ個のＣＳＩ−ＲＳポートからサブセットを選択することを含む。ネットワークノードは偏波を制御可能なアンテナアレイを備える。各ＣＳＩ−ＲＳポートは、リソースエレメントのセットおよびアンテナアレイのアンテナポートの組み合わせに対応する。所定のセットは、第一の偏波状態にある第一の数Ｐ1のＣＳＩ−ＲＳポートと、第二の偏波状態にある第二の数Ｐ2のＣＳＩ−ＲＳポートを含む。第一および第二の偏波状態は異なる。当該方法は、更に、第一および第二の偏波状態をそれぞれ有するＣＳＩ−ＲＳポートの比が、第一および第二の数の比と等しくなるようなやり方で、サブセットをＱ個のＣＳＩ−ＲＳポートに設定することを含む。
【００４０】
特定の実施形態によれば、無線通信ネットワークのネットワークノードによってサービスされる無線機器における方法が提供される。ネットワークノードは無線機器に信号を送信するためのＰ＝８個またはＰ＞８個のアンテナポートを備える。方法は、それぞれＮ個のＣＳＩ−ＲＳポートを有するＫ個のＣＳＩ−ＲＳ構成と、Ｐ個のアンテナポートを有するネットワークノードのアンテナ構成とを含むＣＳＩ−ＲＳセットアップを、ネットワークノードから受信することを含む。Ｑ個のアンテナポートのサブセットはＰ個のアンテナポートから決定される。チャネル情報は、アンテナポートのサブセットに関連付けられた参照信号に基づき測定される。測定されたチャネル情報はネットワークノードへ報告される。
【００４１】
特定の実施形態によれば、無線通信ネットワークの無線機器における方法が提供される。無線機器は複数のネットワークノードによってサービスされ、各ネットワークノードはアンテナアレイを含む。方法は、第一のネットワークノードによってサービスされている間、第一のネットワークノードからリソースエレメントの当該特定のセットにおいて参照信号を受信することを含む。フィードバック情報が第一のネットワークノードに送信される。参照信号または参照信号とリソースエレメントのセットとの組み合わせは識別子を示す。第一のネットワークノードと異なる第二のネットワークノードによってサービスされている間、特定のリソースエレメントの当該セットにおいて第二のネットワークノードから参照信号が受信される。フィードバック情報が第二のネットワークノードに送信され、参照信号または参照信号とリソースエレメントのセットとの組み合わせは識別子を示す。参照信号は、識別子の同一性に関わらず、第一および第二のネットワークノードから異なるビームフォーミングで受信される。
【００４２】
特定の実施形態によれば、ネットワークノードが提供される。ネットワークノードは偏波を制御可能なアンテナアレイと、１つ以上のプロセッサとを含む。１つ以上のプロセッサは、チャネル情報を受信するためのＰ個のＣＳＩ−ＲＳポートの所定のセットからサブセットを選択するよう構成され、各ＣＳＩ−ＲＳポートは、リソースエレメントのセットと当該アンテナアレイのアンテナポートとの組み合わせに対応し、所定のセットは第一の偏波状態にある第一の数Ｐ2のＣＳＩ−ＲＳポートと第二の偏波状態にある第二の数Ｐ2のＣＳＩ−ＲＳポートとを含み、第一および第二の偏波状態は異なる。１つ以上のプロセッサは、更に、第一および第二の偏波状態をそれぞれ有するＣＳＩ−ＲＳポートの比が、第一および第二の数の比と等しくなるようなやり方で、サブセットをＱ個のＣＳＩ−ＲＳポートに設定するように構成される。
【００４３】
特定の実施形態によれば、無線通信ネットワークのネットワークノードによってサービスされるよう構成される無線機器が提供される。ネットワークノードは無線機器に信号を送信するためのＰ＝８個またはＰ＞８個のアンテナポートを備える。無線機器は１つ以上のプロセッサを含む。１つ以上のプロセッサは、それぞれＮ個のＣＳＩ−ＲＳポートを有するＫ個のＣＳＩ参照信号の構成と、Ｐ個のアンテナポートを有するネットワークノードのアンテナ構成とを含むＣＳＩ−ＲＳセットアップを、ネットワークノードから受信するよう構成される。１つ以上のプロセッサは、更に、Ｐ個のアンテナポートからＱ個のアンテナポートのサブセットを決定し、アンテナポートのサブセットに関連付けられた参照信号に基づきチャネル情報を測定するよう構成される。測定されたチャネル情報はネットワークノードへ報告される。
【００４４】
特定の実施形態によれば、各々がアンテナアレイを備える複数のネットワークノードによってサービスされるよう構成される無線機器が提供される。無線機器は１つ以上のプロセッサを含む。１つ以上のプロセッサは、第一のネットワークノードによってサービスされる間、第一のネットワークノードからリソースエレメントの特定のセットにおいて参照信号を受信し、第一のネットワークノードへフィードバック情報を送信するよう構成される。参照信号または参照信号とリソースエレメントのセットとの組み合わせは識別子を示す。１つ以上のプロセッサは、更に、第一のネットワークノードとは異なる第二のネットワークノードによってサービスされる間、第二のネットワークノードから当該特定のリソースエレメントにおいて参照信号を受信し、第二のネットワークノードへフィードバック情報を送信するよう構成される。参照信号または参照信号とリソースエレメントのセットとの組み合わせは識別子を示し、無線機器は、識別子の同一性に関わらず、第一および第二のネットワークノードから異なるビームフォーミングで参照信号を受信するよう構成される。
【００４５】
特定の実施形態によれば、非一過性のコンピュータ可読媒体に格納された命令を含むコンピュータプログラム製品であって、プロセッサによって実行された場合に、チャネル情報を受信するためのＰ個のＣＳＩ−ＲＳポートの所定のセットであって、各ＣＳＩ−ＲＳポートは、リソースエレメントのセットと当該アンテナアレイのアンテナポートとの組み合わせに対応し、所定のセットは第一の偏波状態にある第一の数Ｐ1のＣＳＩ−ＲＳポートと第二の偏波状態にある第二の数Ｐ2のＣＳＩ−ＲＳポートとを含み、第一および第二の偏波状態は異なる、所定のセットからサブセットを選択し、第一および第二の偏波状態をそれぞれ有するＣＳＩ−ＲＳポートの比が、第一および第二の数の比と等しくなるようなやり方で、サブセットをＱ個のＣＳＩ−ＲＳポートにセットする、動作を実行する。
【００４６】
特定の実施形態によれば、非一過性のコンピュータ可読媒体に格納された命令を含むコンピュータプログラム製品であって、プロセッサによって実行された場合に、第一のネットワークノードによってサービスされる間、第一のネットワークノードから特定のリソースエレメントのセットで参照信号を受信して第一のネットワークノードへフィードバック情報を送信し、ここで参照信号または参照信号とリソースエレメントのセットとの組み合わせは識別子を示し、第一のネットワークノードとは異なる第二のネットワークノードによってサービスされる間、第二のネットワークノードから当該特定のリソースエレメントのセットで参照信号を受信して第二のネットワークノードへフィードバック情報を送信し、ここで参照信号または参照信号とリソースエレメントのセットとの組み合わせは識別子を示す、動作を実行する。参照信号は、識別子の同一性に関わらず、第一および第二のネットワークノードから異なるビームフォーミングで受信される。
【００４７】
特定の実施形態によれば、非一過性のコンピュータ可読媒体に格納された命令を含むコンピュータプログラム製品であって、プロセッサによって実行された場合に、ネットワークノードから、それぞれＮ個のＣＳＩ−ＲＳポートを有するＫ個のＣＳＩ参照信号の構成と、Ｐ個のアンテナポートを有するネットワークノードのアンテナ構成とを含むＣＳＩ−ＲＳセットアップを受信し、ここでネットワークノードは無線機器に信号を送信するためのＰ＝８個またはＰ＞８個のアンテナポートを備え、Ｐ個のアンテナポートからＱ個のアンテナポートのサブセットを決定し、アンテナポートのサブセットに関連付けられた参照信号に基づきチャネル情報を測定し、ネットワークノードに測定したチャネル情報を報告する、動作を実行する。具体的には、各ＣＳＩ参照信号の構成はＮ個のＣＳＩ−ＲＳポートと、ネットワークノードのサービングセルのアンテナ構成とを有してもよい。
【００４８】
本開示の特定の実施形態は、１以上の技術的優位性を提供してもよい。一例として、特定の実施形態では、定期的なＣＳＩ報告のためのＣＳＩ−ＲＳポートを構成するための付加的なシグナリングを有利には必要としなくてもよい。別の例として、第一のタイプのフィードバックのために用いられるポートが第二のタイプのフィードバックのために用いるサブセットのポートであるため、レガシー端末は、付加的なＣＳＩ−ＲＳオーバーヘッドなしに、端末をサポートするＦＤ−ＭＩＭＯとしての同一のｅＮＢアンテナアレイでサポートされうる。さらに別の例として、前半のアンテナポートが１つの偏波であり、後半のアンテナポートが異なる偏波である、交差偏波アンテナアレイについて設計されたコードブックは、第一のタイプおよび第二のタイプのフィードバックの両方に対して用いられうる。
【００４９】
他の優位性は当業者にとってすでに明らかであってもよい。特定の実施形態は列挙された利点のうちのいくつか、またはすべてを有することができるし、有しなくてもよい。
【図面の簡単な説明】
【００５０】
開示された実施形態およびそれらの特徴および利点のより完全な理解のために、添付の図面と併せて以下の説明を参照する。
【図１】基本的なＬＴＥダウンリンク物理リソースを示す図。
【図２】ＬＴＥの時間ドメインの構造を示す図。
【図３】例示的なダウンリンクサブフレームを示す図。
【図４】ＰＵＣＣＨ上のアップリンクＬ１／Ｌ２制御シグナリング送信を示す図。
【図５】空間多重化動作の一例を示す図。
【図６Ａ】リソースエレメント・グリッドを示す図。
【図６Ｂ】リソースエレメント・グリッドを示す図。
【図６Ｃ】リソースエレメント・グリッドを示す図。
【図７】交差偏波アンテナエレメントの二次元アンテナアレイの一例を示す図。
【図８】Ｐ＝８のアンテナポートのポート番号を示す図。
【図９】特定の実施形態に係る、ネットワークの実施形態を示すブロック図。
【図１０】特定の実施形態に係る、例示的なネットワークノードのブロック回路図。
【図１１】特定の実施形態に係る、ネットワークノードの方法のフロー図。
【図１２】特定の実施形態に係る、２つの８ポートＣＳＩ−ＲＳ構成のアグリゲーションの１６ポートＣＳＩ−ＲＳポートのインデックスの一例を示す図。
【図１３】特定の実施形態に係る、３つの４アンテナポートＣＳＩ−ＲＳ構成のアグリゲーションの１２ポートＣＳＩ−ＲＳポートのインデックスを有する別の例を示す図。
【図１４】特定の実施形態に係る、８つのレガシー２ポートＣＳＩ−ＲＳ構成のアグリゲーションの１６ポートＣＳＩ−ＲＳ構成の一例を示す図。
【図１５】特定の実施形態に係る、レガシー８ポートＣＳＩ−ＲＳ構成を示す図。
【図１６】特定の実施形態に係る、第一のタイプのＣＳＩ報告に対して選択されたＣＳＩ−ＲＳポートを示す図。
【図１７】特定の実施形態に係る、チャネル情報を受信するためにＣＳＩ−ＲＳポートを選択および設定するための例示的なコンピュータネットワーキング仮想装置を示す図。
【図１８】特定の実施形態に係る、例示的な無線機器を示す図。
【図１９】特定の実施形態に係る、ユーザ装置の方法のフロー図。
【図２０】特定の実施形態に係る、ユーザ装置の方法のフロー図。
【図２１】特定の実施形態に係る、チャネル情報を報告するための例示的なコンピュータネットワーキング仮想装置を示す図。
【図２２】特定の実施形態に係る、例示的な無線ネットワークコントローラまたはコア・ネットワークノードのブロック回路。
【発明を実施するための形態】
【００５１】
３ＧＰＰ  Ｒｅｌｅａｓｅ  １３では、ＣＳＩフィードバックのために付加的なアンテナポートが特定され、１６ポートまでサポートされうる。今後のリリースでは、より多くのポート（例えば３２）がサポートされてもよい。しかしながら、レガシー（リリース１２またはそれ以前）の無線機器は多くて８ポートのＣＳＩ測定をサポートする。したがって、８より多いＣＳＩ−ＲＳポートを有するネットワークノードで、ＣＳＩ−ＲＳオーバーヘッドを増加させない効率的なやり方によって、レガシー端末をサポートする必要がある。より具体的には、交差偏波アンテナアレイのレガシーコードブックの設計に一致させながら、レガシー無線機器に対してどのようにリリース１３のＣＳＩ−ＲＳポートのサブセットを選択するかという課題がある。リリース１３の無線機器に対してですら、定期報告のためにより少ないＣＳＩ−ＲＳポートが用いられ、不定期報告のためにフルセットのＣＳＩ−ＲＳアンテナポートが用いられるのであれば利益がある。そして、ＣＳＩ測定および報告のために構成されたフルセットのＣＳＩ−ＲＳポートのサブセットをどのように選択するかという観点で問題が存在する。
【００５２】
本開示は、これら、そして他の欠陥に対処しうる様々な実施形態を考慮する。以降の開示において、第二のタイプのＣＳＩ報告（またはフィードバック）として、８より大きいＰ個のポートを用い、第一のタイプのＣＳＩ報告（またはフィードバック）として８以下のＱ個のポートを用いるものとする。したがって、第一のタイプは、８より多いポートをサポートしないレガシー端末のＣＳＩ報告に対して用いられ、あるいは、例えばリリース１３の第二のタイプの無線機器のためのＰＵＣＣＨ報告に対して（たとえ８より大きいポートをサポートしても）用いられうる。
【００５３】
特定の実施形態においては、第一のタイプのフィードバックおよび第二のタイプのフィードバックは、第一のタイプが８以下のＱ個のポートを用い、第二のタイプが８より大きいＰ個のポートであるとして定義されてもよい。第二のタイプのフィードバックは、最初のＰ／２ポートは１つの偏波であり、２つ目のＰ／２ポートは異なる（直交した）偏波であるように配置される。加えて、Ｐ個のポートに対して用いられるＣＳＩ−ＲＳリソースは、それぞれがＮ（Ｎ＜Ｐ）個のポートを有する、複数のＣＳＩ−ＲＳ構成のアグリゲーションである。
【００５４】
第一のタイプのフィードバックに対して用いられるＱ個のＣＳＩ−ＲＳポートは、続いて以下（の片方または両方）となるように選択される：
１．第二のタイプのフィードバックのために用いられるＰ＞ＱのＣＳＩ−ＲＳポートと（上述したように）同様の特性を有する（すなわち、最初のＱ／２ポートが１つの偏波であり、後半のＱ／２ポートが異なる（直交した）偏波である）
２．第二のタイプのフィードバックのポートを定義または構成するために用いられるサブセットまたは１つの集約されたＣＳＩ−ＲＳ構成を占有する。
【００５５】
特定の実施形態では、ネットワークにおいて、ＣＳＩ−ＲＳリソースの第一のセットおよび第二のセット、並びに対応するＣＳＩ−ＲＳアンテナポートを構成するための方法が開示される。第一のセットはＱ個のポートを有してもよく、第二のセットはＱより大きいＰ個のポートを有してもよい。第二のセットは、各々がＮ個のポートを有し、Ｐ＝ＮＫとなるＫ個のＣＳＩ−ＲＳ構成のアグリゲーションを含んでもよい。最初のＰ／２個のポートは第一の偏波のアンテナにマッピングされ、最後のＰ／２個のポートは第二の偏波のアンテナにマッピングされる。第二のセットのリソースにおけるＰ個のポートの、Ｋ個のＣＳＩ−ＲＳ構成のそれぞれにおけるＮ個のポートへの、マッピングが確立される。最初のＱ／２個のポートが第一の偏波のアンテナにマッピングされ、最後のＱ／２個のポートが第二の偏波のアンテナにマッピングされるよう、続いて、第一のセットのリソースにおけるポートの、第二のセットのリソースにおけるポートへのマッピングが確立される。
【００５６】
場合によっては、Ｑ個のポートは、第二のセットのリソースを集約するために用いられるＫ個の構成の１つのＮ個のポートにマッピングされる。最初のＰ／２個のポートは第一の偏波のアンテナにマッピングされ、最後のＰ／２個のポートは第二の偏波のアンテナにマッピングされるよう、第二のセットのリソースのポートに番号が付けられうる。
【００５７】
本明細書で説明される様々な実施形態は、有利には、定期的なＣＳＩ報告のためのＣＳＩ−ＲＳポートを構成するための付加的なシグナリングを要求しなくてもよい。加えて、第一のタイプのＣＳＩフィードバックのために用いられるポートが第二のタイプのＣＳＩフィードバックのために用いるサブセットのポートであるため、レガシー端末は、付加的なＣＳＩ−ＲＳオーバーヘッドなしに、端末をサポートするＦＤ−ＭＩＭＯとしての同一のｅＮＢアンテナアレイでサポートされうる。さらに、前半のアンテナポートが１つの偏波であり、後半のアンテナポートが異なる偏波である、交差偏波アンテナアレイについて設計されたコードブックは、第一のタイプおよび第二のタイプのフィードバックの両方に対して用いられうる。
【００５８】
図９は、特定の実施形態に係る、ネットワーク１００の実施形態を示すブロック図である。ネットワーク１００は、区別されることなく無線機器１１０またはＵＥ１１０と呼ばれうる、１以上の無線機器１１０Ａ−Ｃと、区別されることなくネットワークノード１１５またはｅＮｏｄｅＢ１１５と呼ばれうる、ネットワークノード１１５Ａ−Ｃとを含む。無線機器１１０は無線インタフェースを介してネットワークノード１１５に接続しうる。例えば、無線機器１１０Ａは、１以上のネットワークノード１１５へ無線信号を送信し、および／または１以上のネットワークノード１１５から無線信号を受信してもよい。無線信号は、音声トラフィック、データトラフィック、制御信号、および／またはその他の適した情報を含んでもよい。いくつかの実施形態では、ネットワークノード１１５に関連付けられた無線信号カバレッジのエリアはセルと呼ばれてもよい。いくつかの実施形態では、無線機器１１０はＤ２Ｄ能力を有してもよい。したがって、無線機器１１０は、他の無線機器から信号を受信し、および／または信号を直接送信することができてもよい。例えば、無線機器１１０Ａは、無線機器１１０Ｂから信号を受信し、および／または信号を直接送信することができてもよい。
【００５９】
特定の実施形態では、ネットワークノード１１５は無線ネットワークコントローラと連動してもよい。無線ネットワークコントローラは、ネットワークノード１１５を制御してもよく、特定の無線リソース管理機能、モビリティ管理機能、および／または他の適した機能を提供してもよい。特定の実施形態では、無線ネットワークコントローラの機能は、ネットワークノード１１５に含まれてもよい。無線ネットワークコントローラはコア・ネットワークノードと連動してもよい。特定の実施形態では、無線ネットワークコントローラは、相互接続ネットワークを介して、コア・ネットワークノードと連動してもよい。相互接続ネットワークは、音声、動画、信号、データ、メッセージ、または前述の任意の組み合わせを送信することができる任意の相互接続を指してもよい。相互接続ネットワークは、公衆交換電話網（ＰＳＴＮ）、公衆またはプライベート・データネットワーク、ローカルエリアネットワーク（ＬＡＮ）、メトロポリタンエリアネットワーク（ＭＡＮ）、広域ネットワーク（ＷＡＮ）、インターネットのような、ローカル、地域、もしくはグローバル通信もしくはコンピュータネットワーク、有線または無線ネットワーク、企業用イントラネット、またはそれらの組み合わせを含む、他の適した通信回線、の全部または一部を含んでもよい。
【００６０】
いくつかの実施形態では、コア・ネットワークノードは、無線機器１１０に対する通信セッションおよび様々な他の機能の確立を管理してもよい。無線機器１１０は、非アクセス階級レイヤを用いてコア・ネットワークノードと特定の信号を交換してもよい。非アクセス階級のシグナリングでは、無線機器１１０とコア・ネットワークノードとの間の信号は、無線アクセスネットワークを透過的に通過しうる。特定の実施形態では、ネットワークノード１１５は、ノード間インタフェースを介して、１以上のネットワークノードと連動してもよい。例えば、ネットワークノード１１５Ａおよび１１５Ｂは、Ｘ２インタフェースを介して相互作用してもよい。
【００６１】
上述したように、ネットワーク１００の例示的な実施形態は、１以上の無線機器１１０、および無線機器１１０と（直接または間接に）通信可能な１以上の異なるタイプのネットワークノードを含みうる。無線機器１１０は、セルラまたは移動通信システムにおけるノードおよび／または別の無線機器と通信する任意のタイプの無線機器のことを指してもよい。無線機器１１０の例は、携帯電話、スマートフォン、ＰＤＡ（Ｐｅｒｓｏｎａｌ Ｄｉｇｉｔａｌ Ａｓｓｉｓｔａｎｔ）、ポータブルＰＣ（例えばラップトップやタブレット）、センサ、モデム、マシン型通信（ＭＴＣ）、機器／マシンツーマシン（Ｍ２Ｍ）機器、ラップトップ組み込み機器（ＬＥＥ）、ラップトップ搭載機器（ＬＭＥ）、ＵＳＢドングル、Ｄ２Ｄ対応機器、または別の無線通信を提供可能な機器を含む。無線機器１１０は、いくつかの実施形態では、ＵＥ、ステーション（ＳＴＡ）、機器、または端末としても呼ばれうる。また、いくつかの実施形態では、総称して「無線ネットワークノード」（または単純に「ネットワークノード」）という用語が用いられる。これは、Ｎｏｄｅ  Ｂ、基地局（ＢＳ）、ＭＳＲ  ＢＳのようなマルチスタンダード無線（ＭＳＲ）無線ノード、ｅＮｏｄｅＢ、ネットワークコントローラ、無線ネットワークコントローラ（ＲＮＣ）、基地局コントローラ（ＢＳＣ）、リレー・ドナー・ノード制御リレー、ベーストランシーバ基地局（ＢＴＳ）、アクセスポイント（ＡＰ）、送信点、送信ノード、ＲＲＵ，ＲＲＨ，分散アンテナシステム（ＤＡＳ）のノード、コア・ネットワークノード（例えばＭＳＣ、ＭＭＥ、など）、Ｏ＆Ｍ、ＯＳＳ、ＳＯＮ、ポジショニングノード（例えばＥ−ＳＭＬＣ）、ＭＤＴ、または任意の適したネットワークノードを含みうる、いかなるタイプのネットワークノードであってもよい。無線機器１１０、ネットワークノード１１５、および他のネットワークノード（無線ネットワークコントローラまたはコア・ネットワークノード）の例示的な実施形態は、図１０、１８および２２をそれぞれ参照してより詳細に説明する。
【００６２】
図９はネットワーク１００の特定の配置を示すが、本開示は、本明細書で説明される様々な実施形態が任意の適した構成を有する様々なネットワークに適用されうることを考慮する。例えば、ネットワーク１００は、任意の適切な数の無線機器１１０およびネットワークノード１１５、ならびに無線機器間または無線機器と（固定電話のような）他の通信機器との間の通信をサポートするのに適した任意の付加的なエレメントを含んでもよい。更に、特定の実施形態は、ロング・ターム・エボリューション（ＬＴＥ）ネットワークとして実現されるように説明されうるが、実施形態は、任意の通信規格をサポートし、任意のコンポーネントを利用する任意のタイプの通信システムで実現されることができ、無線機器が信号（例えばデータ）を受信および／または送信する任意の無線アクセス技術（ＲＡＴ）またはマルチＲＡＴシステムに適用可能である。例えば、本実施形態で説明される様々な実施形態は、ＬＴＥ、ＬＴＥ−Ａｄｖａｎｃｅｄ、ＵＭＴＳ、ＨＳＰＡ、ＧＳＭ、ｃｄｍａ２０００、ＷｉＭａｘ、ＷｉＦｉ，他の適した無線アクセス技術、または任意の適した１以上の無線アクセス技術の組み合わせに適用可能であってもよい。特定の実施形態はダウンリンクにおける無線伝送のコンテキストにおいて説明されうるが、本開示は、様々な実施形態がアップリンクにおいても同様に適用可能であることを考慮する。
【００６３】
図１０は、特定の実施形態に従う、例示的なネットワークノード１１５のブロック回路図である。上述したように、ネットワークノード１１５は、無線機器および／または別のネットワークノードと通信する任意のタイプの無線ネットワークノードまたは任意のネットワークノードであってもよい。
【００６４】
ネットワークノード１１５の例は上に提供される。ネットワークノード１１５は、同種間のデプロイメント、異種間のデプロイメント、または混在したデプロイメントとしてネットワーク１００に展開されてもよい。同種間のデプロイメントは、一般的には同一（または類似の）タイプのネットワークノード１１５、および／または同様のカバレッジおよびセルサイズおよびサイト間距離からなるデプロイメントを表しうる。異種間のデプロイメントは、一般的には異なるセルサイズ、送信電力、キャパシティ、及びサイト間距離を有する様々なタイプのネットワークノード１１５を用いるデプロイメントを表してもよい。例えば、異種間のデプロイメントは、マクロセル・レイアウトに配置された複数の低電力ノードを含みうる。混在したデプロイメントは、同種間の部分および異種間の部分の混合を含みうる。
【００６５】
ネットワークノード１１５は１以上の送受信器１０１０、プロセッサ１０２０、メモリ１０３０、およびネットワークインタフェース１０４０を含みうる。いくつかの実施形態では、送受信器１０１０は（例えばアンテナを介して）無線機器１１０へ無線信号を送信し、無線信号を受信することを促進し、プロセッサ１０２０はネットワークノード１１５によって提供されるものとして上述されるいくつかまたは全ての機能を提供するための命令を実行し、メモリ１０３０はプロセッサ１０２０によって実行される命令を格納し、そしてネットワークインタフェース１０４０は、ゲートウェイ、スイッチ、ルータ、インターネット、公衆交換電話網（ＰＳＴＮ）、コア・ネットワークノード、またはむせネットワークコントローラ１３０、等のバックエンド・ネットワークコンポーネントへ信号を通信する。
【００６６】
特定の実施形態では、ネットワークノード１１５はマルチアンテナ技術を用いることが可能であってもよく、複数のアンテナを備え、ＭＩＭＯ技術をサポートすることが可能であってもよい。１以上のアンテナは偏波が制御可能であってもよい。言い換えると、各エレメントは、異なる偏波（例えば交差偏波での９０度の分離）の２つの共同設置されたサブエレメントを有してもよく、ビームフォーミングの重みの異なるセットは異なる偏波の放射波を与える。
【００６７】
プロセッサ１０２０は、命令を実行するための１以上のモジュールに実装されたハードウェアおよびソフトウェアの任意の適した組み合わせを含み、ネットワークノード１１５の説明された機能のいくつかまたは全てを実行するためにデータを扱いうる。いくつかの実施形態では、プロセッサ１０２０は、例えば、１以上のコンピュータ、１以上の中央処理装置（ＣＰＵ）、１以上のマイクロプロセッサ、１以上のアプリケーション、および／又は他の論理回路を含みうる。
【００６８】
メモリ１０３０は、一般的には、コンピュータプログラム、ソフトウェア、１以上の論理回路を含むアプリケーション、ルール、アルゴリズム、コード、テーブル等のような命令、および／またはプロセッサによって実行されることが可能な他の命令を格納するよう動作可能である。例示的なメモリ１０３０は、コンピュータメモリ（例えばランダムアクセスメモリ（ＲＡＭ）またはリードオンリーメモリ（ＲＯＭ））、大容量記録媒体（例えばハードディスク）、取り外し可能な記憶媒体（例えばコンパクトディスク（ＣＤ）またはデジタルビデオディスク（ＤＶＤ））、および／または情報を格納する、任意の他の揮発性または不揮発性、非一時的コンピュータ可読および／またはコンピュータが実行可能なメモリ機器を含む。
【００６９】
いくつかの実施形態では、ネットワークインタフェース１０４０はプロセッサ１０２０に通信可能に接続されており、ネットワークノード１１５への入力を受信し、ネットワークノード１１５からの出力を送信し、当該入力または出力またはその両方の適切な処理を実行し、他の機器と通信し、または前述の任意の組み合わせを実行可能な任意の適した機器を指しうる。ネットワークインタフェース１０４０は、プロトコル変換およびデータ処理能力を備えた、ネットワークを通じて通信するための、適切なハードウェア（例えば、ポート、モデム、ネットワークインタフェースカードなど）およびソフトウェアを含みうる。
【００７０】
ネットワークノード１１５の他の実施形態は、（上述したソリューションをサポートするために必要な任意の機能を含む）上述した機能の何れかおよび／または付加的な機能を含む、無線ネットワークノードの機能の特定の態様の提供を担いうる、図１０に示すコンポーネントを超える付加的なコンポーネントを含むことができる。様々な異なるタイプのネットワークノードは、同一の物理ハードウェアを有するが、異なる無線アクセス技術をサポートするよう（例えばプログラミングによって）構成されたコンポーネントを含んでもよく、異なる物理コンポーネントを部分的にまたは全体的に表してもよい。
【００７１】
特定の実施形態では、ネットワークノード１１５は、無線機器１１０に、Ｍｉ（ｉ＝１，２）は次元ｉの偏波ごとのアンテナポート数である、ポートレイアウトＭ1×Ｍ2の信号と、合計Ｐ＝Ｍ1Ｍ2に対応するＣＳＩ参照信号の構成とを送信し、Ｋ個のＮポートＣＳＩ−ＲＳ構成のアグリゲーションを含むＣＳＩ−ＲＳポートは、以下のように表され、
ｋ＝０のＣＳＩ−ＲＳ構成：      Ｎ個のＣＳＩ−ＲＳポート
ｋ＝１のＣＳＩ−ＲＳ構成：      Ｎ個のＣＳＩ−ＲＳポート
…                              …
ｋ＝Ｋ−１のＣＳＩ−ＲＳ構成：  Ｎ個のＣＳＩ−ＲＳポート
ここでＰ＝Ｋ＊ＮでありＮ∈｛２，４，８｝である。更に、ネットワークノード１１５は無線機器１１０にＲＲＣによってＫ個のＣＳＩ−ＲＳ構成のリストを通知する。
【００７２】
図１１は、特定の実施形態に従う、ネットワークノード１１５の方法１１００のフロー図を示す。当該方法はステップ１１０４で開始し、ネットワークノード１１５によって、チャネル情報を受信するためのＰ個のＣＳＩ−ＲＳポートの所定のセットからのサブセットの選択を行われる。各ＣＳＩ−ＲＳポートは、リソースエレメントのセットおよびアンテナアレイのアンテナポートの組み合わせに対応しうる。所定のセットは、第一の偏波状態をにある第一の数Ｐ1のＣＳＩ−ＲＳポートと、第二の偏波状態にある第二の数Ｐ2のＣＳＩ−ＲＳポートを含み、第一および第二の偏波状態は異なる。
【００７３】
ステップ１１０８で、第一の偏波状態および第二の偏波状態をそれぞれ有するＣＳＩ−ＲＳポートの比が第一の数および第二の数の比と等しくなるようにサブセットにＱ個のＣＳＩ−ＲＳポートをポピュレート（設定）する。特定の実施形態では、サブセットは第一の偏波状態を有するＱＰ1／（Ｐ1＋Ｐ2）個のＣＳＩ−ＲＳポートとＱＰ2／（Ｐ1＋Ｐ2）個のＣＳＩ−ＲＳポートに設定されうる。特定の実施形態では、Ｐ1とＰ2とは同じであってもよい。特定の実施形態では、サブセットの半分のＣＳＩ−ＲＳポートは第一の偏波状態を有し、サブセットの半分のＣＳＩ−ＲＳポートは第二の偏波状態を有しうる。
【００７４】
第一の特定の実施形態では、例えば、第一のタイプの報告のＣＳＩ測定は、ＣＳＩ−ＲＳポートを介して、第二のタイプの報告で用いられる集約されたＣＳＩ−ＲＳ構成の複数または全てから行われてよい。Ｐ＞８のＣＳＩ−ＲＳポートを有する、第二のタイプの報告のためのアンテナポートに番号を付ける（ナンバリングする）場合、以下の表現が用いられ、
2018533865.tif 000012
ここで、ｋ（＝０、…、Ｋ−１）は、Ｋ個のＣＳＩ−ＲＳ構成（各々Ｎ個のアンテナポートを有する）のｋ番目のコンポーネントに対応し、ｒは各々のコンポーネントのＣＳＩ−ＲＳ構成のポートインデックスである。所定のセットの各ＣＳＩ−ＲＳポートは、順序付けられたセットから選択された識別子に関連付けられてもよい。第一の数Ｐ1のＣＳＩ−ＲＳポートは、第一の所定範囲内の識別子に関連付けられてもよく、第二の数Ｐ2のＣＳＩ−ＲＳポートは第二の所定範囲内の識別子に関連付けられてもよい。特定の実施形態では、サブセットは第一の所定範囲の下側部分のいくつかのＣＳＩ−ＲＳポートと、第二の所定範囲の下側部分のいくつかのＣＳＩ報告に設定されうる。しかしながら、サブセットは、各所定範囲の上側部分のいくつかのポート、各所定範囲の中間部分、各所定範囲の下側部分、またはそれらの所定範囲の任意の組み合わせに設定されてもよいことが認識されてもよい。そのようなポートの番号付けは、（Ｎ，Ｋ）＝（８，２）、（４，３）については以下の表１に、（Ｎ，Ｋ）＝（２，８）、（２，６）については以下の表２にまとめられうる。
表１：複数の８（Ｎ＝８）および４（Ｎ＝４）ポートのＣＳＩ−ＲＳ構成のアグリゲーションを用いた１２および１６個のＣＳＩ−ＲＳポートのマッピング
2018533865.tif 000013
表２：８（Ｋ＝８）および６（Ｋ＝６）個の２ポートＣＳＩ−ＲＳ構成のアグリゲーションを用いた１２および１６個のＣＳＩ−ＲＳポートのマッピング
2018533865.tif 000014
【００７５】
特定の実施形態では、所定のセットの各ＣＳＩ−ＲＳポートは、順序付けられたセットから選択された識別子に関連付けられてもよい。第一の数Ｐ1のＣＳＩ−ＲＳポートは、第一の所定範囲内の識別子に関連付けられてもよく、第二の数Ｐ2のＣＳＩ−ＲＳポートは第二の所定範囲内の識別子に関連付けられてもよい。
【００７６】
図１２は、特定の実施形態に従う、２つの８ポートＣＳＩ−ＲＳ構成（つまり、Ｎ＝８、Ｋ＝２）、構成＃０（ｋ＝０）および構成＃１（ｋ＝１）、のアグリゲーションの１６ポートＣＳＩ−ＲＳポートのインデックスの一例を示す。例えば、Ｎ＝８、Ｋ＝２、Ｐ＝１６の場合、図１２に示すように、ｋ＝０の構成のＣＳＩ−ＲＳポートは｛１５，１６，１７，１８，２３，２４，２５，２６｝に番号付けられ、ｋ＝１の構成のポートは｛１９，２０，２１，２２，２７，２８，２９，３０｝に番号付けられる。今、ポート１５〜２２は第一の偏波のアンテナに、２３〜３０は第二の偏波のアンテナにマッピングされる。さらに、本実施形態では、Ｋ個のＣＳＩ−ＲＳ構成のそれぞれは、交差偏波アンテナにマッピングされ、ここで前半のポート（すなわちポート１５〜２２）は１つの偏波に、そして後半（すなわちポート２３〜３０）は別の偏波にマッピングされる。隣接ＯＦＤＭシンボルのＣＳＩ−ＲＳ信号は、実際に長さ２の直交カバーコード（ＯＣＣ）で符号分割多重化される。説明を簡単にするために、図１２の各ＲＥにおいて、単一のポート番号のみがラベル付けされている。例えば、ポート１５および１６のＣＳＩ−ＲＳ信号は、スロット０のＯＦＤＭシンボル５および６の両方で送信される。加えて、第一のリソースブロック（ＲＢ）のみが示されるが、同様のマッピングが、ネットワークノードの全体のシステム帯域幅において他のＲＢにも適用される。
【００７７】
図１３は、特定の実施形態に従う、３つの４アンテナポートＣＳＩ−ＲＳ構成、構成＃０（ｋ＝０）、構成＃１（ｋ＝１）、および構成＃２（ｋ＝２）のアグリゲーションの１２ポートＣＳＩ−ＲＳポートのインデックスを有する別の例を示す。図１３に示す例は、４アンテナポートのＣＳＩ−ＲＳ構成（すなわち、Ｎ＝４、Ｋ＝３）のアグリゲーションで構成される１２個のＣＳＩ−ＲＳポートを含む。また、Ｋ個のＣＳＩ−ＲＳ構成のそれぞれは、交差偏波アンテナにマッピングされ、ここで前半のポート（すなわちポート１５〜20）は第一偏波に、そして後半（すなわちポート２１〜２６）は別の偏波にマッピングされる。
【００７８】
レガシー無線機器、またはリリース１３の無線機器のためのＰＵＣＣＨ（すなわち、第一のタイプのフィードバック）はＱ個のポートにマッピングされる必要があり、ここで、第二のタイプのフィードバックのために用いられるＰ＞Ｑ個のポートの間で、最初のＱ／２ポートは同一偏波であり、最後のＰ／２ポートも同一偏波（しかし直交偏波）であり、Ｑ個のアンテナポートを用いる第一のタイプのフィードバックは、Ｑ＝８については図１２、Ｑ＝４については図１３に示す例における第一の構成（すなわち、ｋ＝０）（または第二の構成）を選択しうる。
【００７９】
特定の実施形態では、上述した例において想定されたものよりより一般的な値｛Ｍ１、Ｍ２、Ｐ，Ｑ、Ｎ，Ｋ｝に対してこの目的を実現するため、いくつかの一般化されたポート番号のルールを用いるものであってよい。例えば、定期的なＣＳＩ測定とＰＵＣＣＨに関するレポートとを用いる、（多くても８ポートしかサポートしない）レガシー無線機器１１０と、リリース１３の無線機器１１０とのために使用されるＣＳＩ−ＲＳポートの数は、以下の規則
2018533865.tif 000015
によって決定されうる。第一のタイプの報告のためのＱ個のＣＳＩ−ＲＳポートは、第二のタイプの報告のために定義されたポートから、以下のように選択されうる。
2018533865.tif 000016
【００８０】
第一のタイプの報告のためのＱ個のＣＳＩ−ＲＳポートの番号付けのいくつかの例を、以下の表３に示す。
表３：Ｐ−ＣＳＩ測定と報告のために用いられるＣＳＩ−ＲＳポートの例：Ｑ個を２Ｄアンテナアレイのサイズに関連付ける
2018533865.tif 000017
【００８１】
例えば、Ｍ１＝１およびＭ２＝２であって、Ｑ＝４ポートが第一のタイプのＣＳＩ報告のために用いられ、Ｐ＝１２ポートが第二のタイプの報告のために用いられる場合、第二のタイプの報告におけるポート１５〜２０は、１の偏波である共偏波アンテナを用い、一方ポート２１〜２６は、ポート１５〜２０に対して直交偏波である共偏波アンテナのセットも用いる。第一のタイプの報告に対しては、４ポート１５〜１６および２１〜２２が、第二のタイプの報告に対して用いられるポートの中から選択される。これらのポートは、最初のＱ／２ポートが共偏波で、最後のＱ／２ポートが異なる偏波の共偏波であるという所望の目標を達成するよう、それぞれポート１５〜１８として、第一のタイプの報告のために再度番号付けされる。
【００８２】
しかしながら、この方法で定義されるＱ個のＣＳＩ−ＲＳポートは、レガシーＣＳＩ−ＲＳリソースの中からＱ個のポートのＣＳＩリソースに対して存在するリソースマッピングと常に対応するわけではなくてもよい。例えば、図１４は、特定の実施形態に従う、８個のレガシー２ポートＣＳＩ−ＲＳ構成（すなわち、Ｎ＝２、Ｋ＝８）のアグリゲーションの１６ポートＣＳＩ−ＲＳ設定の一例を示す。対照的に、図１５は、特定の実施形態に従う、レガシー８ポートＣＳＩ−ＲＳ構成を示す。Ｋ＝８、Ｎ＝２の場合、第二のタイプのＣＳＩリソースは、図１４に示すように１６ポートに対して構成され、第一のタイプのリソースに対してはＱ＝８ポートを必要とし、任意の４個の２ポートＣＳＩ−ＲＳ構成のアグリゲーションは、図１５に示すレガシー８ポートＣＳＩ−ＲＳと同一のリソースを有しうる。それゆえ、本実施形態は、新たなリリース１３の無線機器１１０による定期的なＣＳＩ報告に有用であり、新たな設計を検出しないレガシー無線機器には必要ではない。これが望ましい場合、実施形態２の解決方法を適用することができる。
【００８３】
図１６は、特定の実施形態に従う、第一のタイプのＣＳＩ報告に対して選択されたＣＳＩ−ＲＳポートを示す。より具体的には、図１６は、２×４および４×２のアンテナポート・レイアウト（すなわちＭ１×Ｍ２）の場合のＰ−ＣＳＩ報告に対する選択されたＣＳＩ−ＲＳポートを示す。
【００８４】
上述した第一の特定の実施形態では、第一のタイプの報告のＣＳＩ測定は、第二のタイプの報告で用いられる集約されたＣＳＩ−ＲＳリソースの複数または全てのＣＳＩ−ＲＳポートにわたって実行された。第二の特定の実施形態によれば、第一のタイプに関するポートは、第二のタイプのＣＳＩ測定およびリソースに対して構成された、複数の集約された構成のうちの単一のＣＳＩ−ＲＳ構成に限定される。Ｐ＞８個のＣＳＩ−ＲＳポートを有する、第二のタイプの報告のためのアンテナポートを番号付ける場合、以下の表現が用いられ、
2018533865.tif 000018
ここで、ｋ（＝０、…、Ｋ−１）は、（それぞれＮポートを有する）ｋ番目のＣＳＩ−ＲＳ構成に対応する。これは第一の実施形態と同様であり、Ｋ個のＣＳＩ−ＲＳ構成のそれぞれは、交差偏波アンテナにマッピングされ、ここで前半のポートは第一偏波に、そして後半は異なる偏波にマッピングされる。
【００８５】
例えば、Ｎ＝８、Ｋ＝２、Ｐ＝１６の場合、ｋ＝０の構成に対するポートは｛１５，１６，１７，１８，２３，２４，２５，２６｝に番号付けられる。今、ポート１５〜２２は第一の偏波のアンテナに、ポート２３〜３０は第二の偏波のアンテナにマッピングされる。
【００８６】
再度、レガシー無線機器１１０のような第一タイプのＣＳＩ報告またはリリース１３の無線機器１１０のためのＰＵＣＣＨは、最初のＱ／２ポートが共偏波で、最後のＱ／２ポートが（直交偏波である）共偏波である、Ｑ個のポートにマッピングする必要があるため、第一のタイプのＣＳＩ報告のための以下のポート選択は、本実施形態では、第一のタイプ（すなわち、Ｑ＝Ｎ）の測定および報告のために、第一の（すなわち、ｋ＝０）のＮ個のＣＳＩ−ＲＳポートを用いることが提案される。または代替的に、第一のタイプの測定および報告のために、第二のタイプの報告に割当てられたＫ個の構成の所定の構成（例えばｋ＝０またはｋ＝１）を用いる。
【００８７】
対照的に、上述した第一の特定の実施形態に対して、第一のタイプのポート数は、第二のタイプの構成における集約された構成毎に用いられる値Ｎに従い変化しうる。より重要なことは、第一のタイプのポートは、Ｎポートを有するレガシーＣＳＩ−ＲＳ構成に対する者と同一のＣＳＩ−ＲＳリソースを有し、単一のリソースからのこれらのＮ個のポートはレガシーＮポートとしての一式の交差偏波アンテナを含む。それゆえ、レガシー無線機器１１０は、Ｑ＝Ｎ個のＣＳＩ−ＲＳポートによって構成されることができ、リリース１３以前の手順に従ったＣＳＩ測定および報告を実行できる。リリース１３の無線機器１１０は、リリース１３以前の手順に従い、選択されたＱ個のＣＳＩ−ＲＳポートで定期的なＣＳＩ測定および報告を実行することもできる。
【００８８】
第一のタイプのＣＳＩ報告のため、および／またはレガシー無線機器１１０によるＣＳＩ報告のために本実施形態で選択されるＣＳＩ−ＲＳポートのサブセットの一例を、以下の表４に示す。
表４：Ｐ−ＣＳＩ測定と報告のために用いられるＣＳＩ−ＲＳポートの例
2018533865.tif 000019
【００８９】
特定の実施形態では、上述したように、チャネル情報を受信するためのＣＳＩ−ＲＳポートを選択し、設定するための方法は、コンピュータネットワーキング仮想装置によって行われてよい。図１７は、特定の実施形態に係る、チャネル情報を受信するためにＣＳＩ−ＲＳポートを選択および設定するための例示的なコンピュータネットワーキング仮想装置を示す。所定の実施形態では、仮想コンピューティング装置１７００は、図１１に示し、説明した方法に関して上述したものと類似のステップを実行するためのモジュールを含んでもよい。例えば、コンピュータネットワーキング仮想装置１７００は、選択モジュール１７１０、割当モジュール１７２０、および、チャネル情報を受信するためのＣＳＩ−ＲＳポートを選択および設定するための任意の他の適したモジュールを含んでもよい。いくつかの実施形態では、１以上のモジュールが、図１０の１以上のプロセッサ１０２０を用いて実現されてもよい。特定の実施形態では、２以上の様々なモジュールの機能が単一のモジュールに統合されてもよい。
【００９０】
選択モジュール１７１０は、コンピュータネットワーキング仮想装置１７００の選択機能を実行しうる。例えば、選択モジュール１７１０は、チャネル情報を受信するために、所定のセットのＰ個のＣＳＩ−ＲＳポートからサブセットを選択しうる。各ＣＳＩ−ＲＳポートは、リソースエレメントのセットおよびアンテナアレイのアンテナポートの組み合わせに対応しうる。特定の実施形態において、所定のセットは、第一の偏波状態をにある第一の数Ｐ1のＣＳＩ−ＲＳポートと、第二の偏波状態にある第二の数Ｐ2のＣＳＩ−ＲＳポートを含んでもよく、第一および第二の偏波状態は異なる。
【００９１】
設定モジュール１７２０は、コンピュータネットワーキング仮想装置１７００の設定機能を実行しうる。例えば、設定モジュール１７２０は、第一および第二の偏波状態をそれぞれ有するＣＳＩ−ＲＳポートの比が、第一および第二の数の比と等しくなるようなやり方で、サブセットをＱ個のＣＳＩ−ＲＳポートに設定してもよい。特定の実施形態では、サブセットは第一の偏波状態を有するＱＰ1／（Ｐ1＋Ｐ2）個のＣＳＩ−ＲＳポートと、第二の偏波状態を有するＱＰ2／（Ｐ1＋Ｐ2）個のＣＳＩ−ＲＳポートとに設定されうる。特定の実施形態では、Ｐ1とＰ2とは同じであってもよい。特定の実施形態では、サブセットの半分のＣＳＩ−ＲＳポートは第一の偏波状態を有し、サブセットの半分のＣＳＩ−ＲＳポートは第二の偏波状態を有しうる。
【００９２】
コンピュータネットワーキング仮想装置１７００の他の実施形態は、（上述したソリューションをサポートするために必要な任意の機能を含む）上述した機能の何れかおよび／または付加的な機能を含む、ネットワークノード１１５の機能の特定の態様の提供を担いうる、図１７に示すコンポーネントを超える付加的なコンポーネントを含むことができる。様々な異なるタイプのネットワークノード１１５は、同一の物理ハードウェアを有するが、異なる無線アクセス技術をサポートするよう（例えばプログラミングによって）構成されたコンポーネントを含んでもよく、異なる物理コンポーネントを部分的にまたは全体的に表してもよい。
【００９３】
図１８は、特定の実施形態に従う、例示的な無線機器１１０のブロック回路図である。無線機器１１０は、セルラまたは移動通信システムにおけるノードおよび／または別の無線機器と通信する任意のタイプの無線機器を指してもよい。図示されるように、無線機器１１０は送受信器１８１０、プロセッサ１８２０、およびメモリ１８３０を含む。いくつかの実施形態では、送受信器１８１０はネットワークノード１１５へ（例えばアンテナを介して）無線信号を送信して無線信号を受信することを促進し、プロセッサ１８２０は無線機器１１０によって提供されるとして上述した機能のいくつかまたは全てを提供するための命令を実行し、メモリ１８３０はプロセッサ１８２０によって実行される命令を格納する。ネットワークノード１１５の例は上記で提供された。
【００９４】
プロセッサ１８２０は、命令を実行するための１以上のモジュールに実装されたハードウェアおよびソフトウェアの任意の適した組み合わせを含み、無線機器１１０の説明された機能のいくつかまたは全てを実行するためにデータを扱いうる。いくつかの実施形態では、プロセッサ１８２０は、例えば、１以上のコンピュータ、１以上の中央処理装置（ＣＰＵ）、１以上のマイクロプロセッサ、１以上のアプリケーション、および／又は他の論理回路を含みうる。
【００９５】
メモリ１８３０は、一般的には、コンピュータプログラム、ソフトウェア、１以上の論理回路を含むアプリケーション、ルール、アルゴリズム、コード、テーブル等のような命令、および／またはプロセッサによって実行されることが可能な他の命令を格納するよう動作可能である。例示的なメモリ１８３０は、コンピュータメモリ（例えばランダムアクセスメモリ（ＲＡＭ）またはリードオンリーメモリ（ＲＯＭ））、大容量記録媒体（例えばハードディスク）、取り外し可能な記憶媒体（例えばコンパクトディスク（ＣＤ）またはデジタルビデオディスク（ＤＶＤ））、および／または情報を格納する、任意の他の揮発性または不揮発性、非一時的コンピュータ可読および／またはコンピュータが実行可能なメモリ機器を含む。
【００９６】
無線機器１１０の他の実施形態は、（上述したソリューションをサポートするために必要な任意の機能を含む）上述した機能の何れかおよび／または付加的な機能を含む、無線機器の機能の特定の態様の提供を担いうる、図１８に示すコンポーネントを超える付加的なコンポーネントを含むことができる。
【００９７】
図１９は、特定の実施形態に係る、無線機器１１０の方法のフロー図である。特定の実施形態では、無線機器１１０は、無線通信ネットワーク内の無線機器１１０へ信号を送信するための８個より多いアンテナポートを備えるネットワークノード１１５によってサービスされる。方法はステップ１９０４で、無線機器１１０がネットワークノード１１５からＣＳＩ−ＲＳセットアップを受信した場合に開始する。ＣＳＩ−ＲＳセットアップは、それぞれＮ個の（レガシー）ＣＳＩ−ＲＳポートを有するＫ個のＣＳＩ−ＲＳ構成と、Ｐ個のアンテナポートを有するネットワークノードのアンテナ構成とを含む。特定の実施形態では、例えば、アンテナ構成はＰ個のＣＳＩ−ＲＳポートを含む。
【００９８】
ステップ１９０８で、無線機器１１０はＰ個のアンテナポートからＱ個のアンテナポートのサブセットを決定する。特定の実施形態では、例えば、Ｐ個のＣＳＩ−ＲＳポートから、第一のサブセットのＰ／２個のＣＳＩ−ＲＳポートと、第二のサブセットのＰ／２個のＣＳＩ−ＲＳポートとが決定されてもよい。第一のサブセットは、Ｋ個のＣＳＩ−ＲＳ構成のそれぞれからＮ／２個のＣＳＩ−ＲＳポートを含んでもよく、第二のサブセットはＫ個のＣＳＩＳ−ＲＳ構成のそれぞれから残りのＮ／２個のＣＳＩ−ＲＳポートを含んでもよい。特定の実施形態では、第一のサブセットは、状態情報フィードバックに用いられるコードブック内の長さＰのプリコーディングベクトルの長さＰ／２の第一のベクトルに対応してもよい。対照的に、第二のサブセットは同一の長さＰのプリコーディングベクトルの長さＰ／２の第二のベクトルに対応してもよく、ここで長さＰ／２の第二のベクトルは、長さＰ／２の第一のベクトルを複素数によってスケーリングすることによって取得可能である。
【００９９】
特定の実施形態では、ステップ１９０８においてＰ個のアンテナポートからＱ個のアンテナポートのサブセットを決定することは、第一のサブセットを、以下のようにインデックスをつけられたＣＳＩ−ＲＳポートとして形成することを含んでもよい。
2018533865.tif 000020
反対に、第二のサブセットは、以下のようにインデックスをつけられたＣＳＩ−ＲＳポートとして形成されてもよい。
2018533865.tif 000021
両方のサブセットで、ｋはｋ＝０，１，…，Ｋ−１のＫ個のＣＳＩ−ＲＳ構成の範囲を変化しうる。
【０１００】
ステップ１９１２で、無線機器１１０はサブセットのアンテナポートに関連付けられた参照信号に基づきチャネル情報を測定する。例えば、特定の実施形態において、チャネル情報はＱ個のポートの所定のコードブックに基づいてサブセットのポートに関連付けられた受信済の参照信号にわたって推定されてもよい。付加的に、チャネル情報の測定は、特定の実施形態において、定期的に実行されてもよい。
【０１０１】
ステップ１９１６で、無線機器１１０はネットワークノード１１５へ測定されたチャネル情報を報告する。例えば、推定されたチャネル情報は、特定の実施形態において、通常の物理アップリンク制御チャネルを介してネットワークノード１１５に送信されてもよい。付加的に、チャネル情報の報告は、特定の実施形態において、定期的に行われてよい。
【０１０２】
図２０は、特定の実施形態に係る、無線機器１１０の方法２０００のフロー図である。方法は、ステップ２００４で、第一のネットワークノード１１５によってサービスされている間に、無線機器１１０が第一のネットワークノード１１５からリソースエレメントの特定のセットにおいて参照信号を受信し、第一のネットワークノードへフィードバック情報を送信する場合に開始し、ここで参照信号または参照信号とリソースエレメントのセットとの組み合わせは識別子を示す。
【０１０３】
ステップ２００８において、第一のネットワークノード１１５とは異なる第二のネットワークノード１１５によってサービスされている間、無線機器１１０は、第二のネットワークノード１１５からリソースエレメントの当該特有のセットにおいて参照信号を受信し、第二のネットワークノード１１５にフィードバック情報を送信する。参照信号または参照信号とリソースエレメントのセットとの組み合わせは識別子を示す。
【０１０４】
特定の実施形態では、上述したように、チャネル情報を生成するための方法は、コンピュータネットワーキング仮想装置によって実行されてもよい。図２１は、特定の実施形態に係る、チャネル情報を生成するための例示的なコンピュータネットワーキング仮想装置を示す。所定の実施形態では、仮想コンピューティング装置２１００は、図１９および２０に図示され、説明される方法に関して上述したものと類似のステップを実行するためのモジュールを含んでもよい。例えば、コンピュータネットワーキング仮想装置２１００は受信モジュール２１１０、決定モジュール２１２０、測定モジュール２１３０、送信および／または報告モジュール２１４０、およびチャネル情報を生成するための任意の他の適したモジュールを含みうる。
【０１０５】
いくつかの実施形態では、１以上のモジュールが、図１８の１以上のプロセッサ１８２０を用いて実現されてもよい。特定の実施形態では、２以上の様々なモジュールの機能が単一のモジュールに統合されてもよい。
【０１０６】
受信モジュール２１１０は、コンピュータネットワーキング仮想装置２１００の受信機能を実行しうる。例えば、特定の実施形態において、受信モジュール２１１０はネットワークノードからＣＳＩ−ＲＳセットアップを受信してもよい。ＣＳＩ−ＲＳセットアップは、それぞれＮ個のＣＳＩ−ＲＳポートを有するＫ個のＣＳＩ−ＲＳ構成と、Ｐ個のアンテナポートを有するネットワークノードのアンテナ構成とを含みうる。
【０１０７】
別の例として、特定の実施形態において、受信モジュール２１１０は第一のネットワークノード１１５から、リソースエレメントの特定のセットにおいて参照信号を受信しうる。第一のネットワークノードからの参照信号または参照信号とリソースエレメントのセットとの組み合わせは識別子を示す。受信モジュール２１１０は、第二のネットワークノード１１５によってサービスされている間、第二のネットワークノードから特定のリソースエレメントの当該セットにおいて参照信号を受信してもよい。同様に、第二のネットワークノードからの参照信号または参照信号とリソースエレメントのセットとの組み合わせは識別子を示す。参照信号は、識別子の同一性に関わらず、異なるビームフォーミングで受信されてもよい。
【０１０８】
決定モジュール２１２０は、コンピュータネットワーキング仮想装置２１００の決定機能を実行しうる。例えば、決定モジュール２１００は、特定の実施形態において、受信モジュール２１１０によって受信されるＰ個のアンテナポートからＱ個のアンテナポートのサブセットを決定してもよい。
【０１０９】
測定モジュール２１３０は、コンピュータネットワーキング仮想装置２１００の測定機能を実行しうる。例えば、測定モジュール２１３０は、アンテナポートのサブセットに関連付けられた参照信号に基づきチャネル情報を測定してもよい。特定の実施形態において、測定モジュール２１３０は測定を定期的に実行してもよい。
【０１１０】
送信および／または報告モジュール２１４０は、コンピュータネットワーキング仮想装置２１００の送信および／または報告機能を実行しうる。例えば、特定の実施形態において、送信および／または報告モジュール２１４０はネットワークノードに測定されたチャネル情報を報告してもよい。特定の実施形態において、送信および／または報告モジュール２１４０は報告機能を定期的に実行してもよい。
【０１１１】
特定の実施形態において、送信および／または報告モジュール２１４０は第一のネットワークノード１１５へフィードバック情報を送信してもよい。付加的にまたは代替的に、送信および／または報告モジュール２１４０は第二のネットワークノード１１５へフィードバック情報を送信してもよい。
【０１１２】
コンピュータネットワーキング仮想装置２１００の他の実施形態は、（上述したソリューションをサポートするために必要な任意の機能を含む）上述した機能の何れかおよび／または付加的な機能を含む、無線機器１１０の機能の特定の態様の提供を担いうる、図２１に示すコンポーネントを超える付加的なコンポーネントを含むことができる。様々な異なるタイプの無線機器１１０は、同一の物理ハードウェアを有するが、異なる無線アクセス技術をサポートするよう（例えばプログラミングによって）構成されたコンポーネントを含んでもよく、異なる物理コンポーネントを部分的にまたは全体的に表してもよい。
【０１１３】
図２２は、特定の実施形態に従う、例示的な無線ネットワークコントローラまたはコア・ネットワークノード１３０のブロック回路図である。例示的なネットワークノードは、移動通信交換局（ＭＳＣ）、サービングＧＰＲＳサポートノード（ＳＧＳＮ）、モビリティ・マネジメント・エンティティ（ＭＭＥ）、無線ネットワークコントローラ（ＲＮＣ）、基地局コントローラ（ＢＳＣ）、等を含みうる。無線ネットワークコントローラまたはコア・ネットワークノード１３０はプロセッサ２２２０、メモリ２２３０、およびネットワークインタフェース２２４０を含む。いくつかの実施形態では、プロセッサ２２２０はネットワークノードによって提供されるものとして上述されるいくつかまたは全ての機能を提供するための命令を実行し、メモリ２２３０はプロセッサ２２２０によって実行される命令を格納し、そしてネットワークインタフェース２２４０は、ゲートウェイ、スイッチ、ルータ、インターネット、公衆交換電話網（ＰＳＴＮ）、ネットワークノード１１５、無線ネットワークコントローラ１３０、またはコア・ネットワークノード１３０等の任意の適したノードへ信号を通信する。
【０１１４】
プロセッサ２２２０は、命令を実行するための１以上のモジュールに実装されたハードウェアおよびソフトウェアの任意の適した組み合わせを含み、無線ネットワークコントローラまたはコア・ネットワークノード１３０の説明された機能のいくつかまたは全てを実行するためにデータを扱いうる。いくつかの実施形態では、プロセッサ２２２０は、例えば、１以上のコンピュータ、１以上の中央処理装置（ＣＰＵ）、１以上のマイクロプロセッサ、１以上のアプリケーション、および／又は他の論理回路を含みうる。
【０１１５】
メモリ２２３０は、一般的には、コンピュータプログラム、ソフトウェア、１以上の論理回路を含むアプリケーション、ルール、アルゴリズム、コード、テーブル等のような命令、および／またはプロセッサによって実行されることが可能な他の命令を格納するよう動作可能である。例示的なメモリ２２３０は、コンピュータメモリ（例えばランダムアクセスメモリ（ＲＡＭ）またはリードオンリーメモリ（ＲＯＭ））、大容量記録媒体（例えばハードディスク）、取り外し可能な記憶媒体（例えばコンパクトディスク（ＣＤ）またはデジタルビデオディスク（ＤＶＤ））、および／または情報を格納する、任意の他の揮発性または不揮発性、非一時的コンピュータ可読および／またはコンピュータが実行可能なメモリ機器を含む。
【０１１６】
いくつかの実施形態では、ネットワークインタフェース２２４０はプロセッサ２２２０に通信可能に接続されており、ネットワークノードへの入力を受信し、ネットワークノードからの出力を送信し、当該入力または出力またはその両方の適切な処理を実行し、他の機器と通信し、または前述の任意の組み合わせを実行可能な任意の適した機器を指しうる。ネットワークインタフェース２２４０は、プロトコル変換およびデータ処理能力を備えた、ネットワークを通じて通信するための、適切なハードウェア（例えば、ポート、モデム、ネットワークインタフェースカードなど）およびソフトウェアを含みうる。
【０１１７】
ネットワークノードの他の実施形態は、（上述したソリューションをサポートするために必要な任意の機能を含む）上述した機能の何れかおよび／または付加的な機能を含む、ネットワークノードの機能の特定の態様の提供を担いうる、図２２に示すコンポーネントを超える付加的なコンポーネントを含むことができる。
【０１１８】
特定の実施形態によれば、チャネル状態情報を受信するためのＰ個のＣＳＩ−ＲＳポートの所定のセットからサブセットを選択する方法が提供される。当該方法は、無線通信ネットワーク（１００）のネットワークノード（１１５）で実現される。ネットワークノードは偏波を制御可能なアンテナアレイを備える。各ＣＳＩ−ＲＳポートは、リソースエレメントのセットおよびアンテナアレイのアンテナポートの組み合わせに対応する。所定のセットは、第一の偏波状態にある第一の数Ｐ1のＣＳＩ−ＲＳポートと、第二の偏波状態にある第二の数Ｐ2のＣＳＩ−ＲＳポートを含み、第一の偏波状態と第二の偏波状態とは異なる。当該方法は、第一の偏波状態および第二の偏波状態をそれぞれ有するＣＳＩ−ＲＳポートの比が、第一の数と第二の数との比と等しくなるようなやり方で、サブセットをＱ個のＣＳＩ−ＲＳポートに設定することを含む。
【０１１９】
随意に、サブセットは、第一の偏波状態を有するＱＰ1／（Ｐ1＋Ｐ2）個のポートと第二の偏波状態を有するＱＰ2／（Ｐ1＋Ｐ2）個のポートとに設定される。
【０１２０】
随意に、Ｐ1＝Ｐ2であり、サブセットは第一および第二の偏波状態と等しい比率のＣＳＩ−ＲＳポートに割り当てられる。
【０１２１】
随意に、Ｐ1＋Ｐ2＝Ｐである。
【０１２２】
随意に、サブセットの半分のＣＳＩ−ＲＳポートは第一の偏波状態を有し、サブセットの半分のＣＳＩ−ＲＳポートは第二の偏波状態を有する。
【０１２３】
随意に、Ｑ≦８である。
【０１２４】
随意に、Ｑは２の倍数である。
【０１２５】
随意に、Ｑ＝２、Ｑ＝４、またはＱ＝８である。
【０１２６】
随意に、所定のセットの各ＣＳＩ−ＲＳポートは、ネットワークノードが、このＣＳＩ−ＲＳポートでネットワークノードによって送信される参照信号に関するフィードバックを識別することを可能にする識別子に関連付けられる。
【０１２７】
随意に、以下の１つが成立する：識別子はフィードバック信号で明示的に示される、識別子はフィードバック信号の内部構造から暗示的に導出できる、または識別子はフィードバック信号を送信するために用いられるリソースから暗示的に導出できる。
【０１２８】
随意に、ＣＳＩ−ＲＳポートは順序付けられたセットから選択される。
【０１２９】
随意に、順序付けられたセットは、整数のサブセットまたはアルファベットのサブセットの何れかである。
【０１３０】
随意に、サブセットを設定することは、ＣＳＩ−ＲＳポートが関連付けられた識別子を保つことを含む。
【０１３１】
随意に、第一の偏波状態にあるＣＳＩ−ＲＳポートは第一の所定範囲にある識別子に関連付けられ、第二の偏波状態にあるＣＳＩ−ＲＳポートは第二の所定範囲にある識別子に関連付けられる。サブセットは、第一の所定範囲の下側部分のＱ／２個のＣＳＩ−ＲＳポートと、第二の所定範囲の下側部分のＱ／２個のＣＳＩ−ＲＳポートに設定される。
【０１３２】
随意に、各ＣＳＩ−ＲＳポートは以下で与えられるポート番号ｐである識別子に関連付けられ、
2018533865.tif 000022
ここで、ＫはＣＳＩ参照信号の構成の数であり、ｋは［０，Ｋ−１］の任意の整数であり、ＮはＫ個の構成のそれぞれのアンテナポートまたは参照信号の数であり、ｒは［１５，１４＋Ｎ］の任意の整数である。
【０１３３】
随意に、サブセットは以下で与えられるポート番号に関連付けられるＱ個のＣＳＩ−ＲＳポートに割当てられ、
2018533865.tif 000023
ここではｋは  
2018533865.tif 000024
かつＱ≧Ｎに制限される。
【０１３４】
随意に、ＣＳＩ−ＲＳポートは代替識別子に関連付けられ、当該代替識別子は、順序付けられたセットから選択され、ネットワークノードが、ＣＳＩ−ＲＳポートで送信されるＣＳＩ参照信号に関する第一のタイプのフィードバックを識別することを可能にする。
【０１３５】
随意に、識別子はＣＳＩ−ＲＳポートの順序を定義し、当該順序は代替識別子によって保たれる。
【０１３６】
随意に、代替識別子は連続している。
【０１３７】
随意に、代替識別子ｐ’は以下で与えられ、
2018533865.tif 000025
ここでｑ＝０は第一の偏波状態であり、ｑ＝１は第二の偏波状態である。
【０１３８】
随意に、集約されたリソースおよびポート番号は、サブセットの各ＣＳＩ−ＲＳポートに指定される。
【０１３９】
随意に、サブセット内のＣＳＩ−ＲＳポートの数Ｑは所定のセット内のＣＳＩ−ＲＳポートの数Ｐの関数として決定される。
【０１４０】
随意に、決定することは以下の１つを含む：Ｑ＜ＰとなるようなＱ≦８を選択すること、Ｑ＜ＰとなるようなＱ∈｛２，４，８｝を選択すること、Ｑ＜Ｐとなるような最大のＱを選択すること、Ｑ＜Ｐとなるような最大のＱ∈｛２，４，８｝を選択すること。
【０１４１】
随意に、方法は、２つの軸に沿って配置されたアンテナエレメントを有するアンテナアレイを備えるネットワークノードで実現される。
【０１４２】
随意に、第一の偏波状態は１の偏波方向にあるリニアアレイのアンテナエレメントに対応し、第二の偏波状態は第二の偏波方向にあるリニアアレイのアンテナエレメントに対応する。
【０１４３】
随意に、アンテナアレイは交差偏波アンテナエレメントを含む。
【０１４４】
随意に、方法は更に所定のセットのうちのＣＳＩ−ＲＳポートを介して複数のＣＳＩ参照信号を送信することと、無線通信ネットワーク内のユーザ装置（１１０）からフィードバックを受信することとを含む。
【０１４５】
随意に、方法は更に、第一または第二のタイプのフィードバックが利用可能であるか否かを決定することを含む。第一のタイプのフィードバックが利用可能である場合、サブセット内のＣＳＩ−ＲＳポート上に参照信号を送信する。第二のタイプのフィードバックが利用可能である場合、所定のセット内のＣＳＩ−ＲＳポート上に参照信号を送信する。
【０１４６】
随意に、方法は更に、両方のタイプの報告のための共通したコードブックを用いることを含む。
【０１４７】
随意に、方法は更に、第一のタイプの報告のための第一のコードブックと第二のタイプの報告のための第二のコードブックとを用いることを含む。
【０１４８】
随意に、第一のタイプのフィードバックは定期的なＣＳＩ報告である。
【０１４９】
随意に、方法は更に、ユーザ装置へ、ネットワークノードを構成するアンテナポートの数Ｐをシグナリングし、Ｋ個の集約されたＮポートのＣＳＩ−ＲＳ構成である、Ｐ個のＣＳＩ−ＲＳポートの合計に対応するＣＳＩ−ＲＳポートの構成をシグナリングする初期ステップを含み、ここでＫは利用可能なＣＳＩ参照信号の構成の数である。
【０１５０】
特定の実施形態によれば、各々がアンテナアレイを備える複数のネットワークノード（１１５）によってサービスされるように動作可能な無線通信ネットワーク（１００）で動作可能なユーザ装置（１１０）の方法が提供される。当該方法は、第一のネットワークノード（１１５Ａ）によってサービスされている間、第一のネットワークノードからリソースエレメントの特定のセットにおいて参照信号を受信することと、第一のネットワークノードへフィードバック情報を送信することとを含む。参照信号または参照信号とリソースエレメントのセットとの組み合わせは識別子を示す。第一のネットワークノードと異なる第二のネットワークノード（１１５Ｂ）によってサービスされている間、特定のリソースエレメントの当該セットにおいて第二のネットワークノードから参照信号が受信され、フィードバック情報が第二のネットワークノードに送信される。参照信号または参照信号とリソースエレメントのセットとの組み合わせは識別子を示し、参照信号は、識別子の同一性に関わらず、第一および第二のネットワークノードから異なるビームフォーミングで受信される。
【０１５１】
特定の実施形態によれば、ユーザ装置（１１０）における方法は、ＵＥに信号を送信するための、８個より多いアンテナポートを備える無線通信ネットワークノード（１１５）によってサービスされる。方法は、それぞれＮ個のＣＳＩ−ＲＳポートを有するＫ個のＣＳＩ−ＲＳ構成と、Ｐ個のアンテナポートを有するネットワークノードのアンテナ構成とを含むＣＳＩ−ＲＳ構成を、ネットワークノードから受信することを含む。Ｑ個のアンテナポートのサブセットはＰ個のアンテナポートから決定される。チャネル状態情報は、アンテナポートのサブセットに関連付けられた参照信号に基づき定期的に測定される。測定されたチャネル状態情報はネットワークノードへ定期的に報告される。
【０１５２】
特定の実施形態によれば、ネットワークノードにおける方法が開示される。方法は、チャネル情報を受信するために、所定のセットのＰ個のＣＳＩ−ＲＳポートからサブセットを選択することを含む。ネットワークノードは偏波を制御可能なアンテナアレイを備える。各ＣＳＩ−ＲＳポートは、リソースエレメントのセットおよびアンテナアレイのアンテナポートの組み合わせに対応する。所定のセットは、第一の偏波状態にある第一の数Ｐ1のＣＳＩ−ＲＳポートと、第二の偏波状態にある第二の数Ｐ2のＣＳＩ−ＲＳポートを含む。第一および第二の偏波状態は異なる。当該方法は、更に、第一および第二の偏波状態をそれぞれ有するＣＳＩ−ＲＳポートの比が、第一および第二の数の比と等しくなるようなやり方で、サブセットをＱ個のＣＳＩ−ＲＳポートに設定することを含む。
【０１５３】
特定の実施形態によれば、無線通信ネットワークのネットワークノードによってサービスされる無線機器における方法が提供される。ネットワークノードは無線機器に信号を送信するためのＰ＝８個またはＰ＞８個のアンテナポートを備える。方法は、それぞれＮ個のＣＳＩ−ＲＳポートを有するＫ個のＣＳＩ−ＲＳ構成と、Ｐ個のアンテナポートを有するネットワークノードのアンテナ構成とを含むＣＳＩ−ＲＳセットアップを、ネットワークノードから受信することを含む。Ｑ個のアンテナポートのサブセットはＰ個のアンテナポートから決定される。チャネル情報は、アンテナポートのサブセットに関連付けられた参照信号に基づき測定される。測定されたチャネル情報はネットワークノードへ報告される。
【０１５４】
特定の実施形態によれば、無線通信ネットワークの無線機器における方法が提供される。無線機器は複数のネットワークノードによってサービスされ、各ネットワークノードはアンテナアレイを含む。方法は、第一のネットワークノードによってサービスされている間、第一のネットワークノードからリソースエレメントの当該特定のセットにおいて参照信号を受信することを含む。フィードバック情報が第一のネットワークノードに送信される。参照信号または参照信号とリソースエレメントのセットとの組み合わせは識別子を示す。第一のネットワークノードと異なる第二のネットワークノードによってサービスされている間、特定のリソースエレメントの当該セットにおいて第二のネットワークノードから参照信号が受信される。フィードバック情報が第二のネットワークノードに送信され、参照信号または参照信号とリソースエレメントのセットとの組み合わせは識別子を示す。参照信号は、識別子の同一性に関わらず、第一および第二のネットワークノードから異なるビームフォーミングで受信される。
【０１５５】
特定の実施形態によれば、ネットワークノードが提供される。ネットワークノードは偏波を制御可能なアンテナアレイと、１つ以上のプロセッサとを含む。１つ以上のプロセッサは、チャネル情報を受信するためのＰ個のＣＳＩ−ＲＳポートの所定のセットからサブセットを選択するよう構成され、各ＣＳＩ−ＲＳポートは、リソースエレメントのセットと当該アンテナアレイのアンテナポートとの組み合わせに対応し、所定のセットは第一の偏波状態にある第一の数Ｐ1のＣＳＩ−ＲＳポートと第二の偏波状態にある第二の数Ｐ2のＣＳＩ−ＲＳポートとを含み、第一および第二の偏波状態は異なる。１つ以上のプロセッサは、更に、第一および第二の偏波状態をそれぞれ有するＣＳＩ−ＲＳポートの比が、第一および第二の数の比と等しくなるようなやり方で、サブセットをＱ個のＣＳＩ−ＲＳポートに設定するように構成される。
【０１５６】
特定の実施形態によれば、無線通信ネットワークのネットワークノードによってサービスされるよう構成される無線機器が提供される。ネットワークノードは無線機器に信号を送信するためのＰ＝８個またはＰ＞８個のアンテナポートを備える。無線機器は１つ以上のプロセッサを含む。１つ以上のプロセッサは、それぞれＮ個のＣＳＩ−ＲＳポートを有するＫ個のＣＳＩ参照信号の構成と、Ｐ個のアンテナポートを有するネットワークノードのアンテナ構成とを含むＣＳＩ−ＲＳセットアップを、ネットワークノードから受信するよう構成される。１つ以上のプロセッサは、更に、Ｐ個のアンテナポートからＱ個のアンテナポートのサブセットを決定し、アンテナポートのサブセットに関連付けられた参照信号に基づきチャネル情報を測定するよう構成される。測定されたチャネル情報はネットワークノードへ報告される。
【０１５７】
特定の実施形態によれば、各々がアンテナアレイを備える複数のネットワークノードによってサービスされるよう構成される無線機器が提供される。無線機器は１つ以上のプロセッサを含む。１つ以上のプロセッサは、第一のネットワークノードによってサービスされる間、第一のネットワークノードからリソースエレメントの特定のセットにおいて参照信号を受信し、第一のネットワークノードへフィードバック情報を送信するよう構成される。参照信号または参照信号とリソースエレメントのセットとの組み合わせは識別子を示す。１つ以上のプロセッサは、更に、第一のネットワークノードとは異なる第二のネットワークノードによってサービスされる間、第二のネットワークノードから当該特定のリソースエレメントにおいて参照信号を受信し、第二のネットワークノードへフィードバック情報を送信するよう構成される。参照信号または参照信号とリソースエレメントのセットとの組み合わせは識別子を示し、無線機器は、識別子の同一性に関わらず、第一および第二のネットワークノードから異なるビームフォーミングで参照信号を受信するよう構成される。
【０１５８】
特定の実施形態によれば、非一過性のコンピュータ可読媒体に格納された命令を含むコンピュータプログラム製品であって、プロセッサによって実行された場合に、チャネル情報を受信するためのＰ個のＣＳＩ−ＲＳポートの所定のセットであって、各ＣＳＩ−ＲＳポートは、リソースエレメントのセットと当該アンテナアレイのアンテナポートとの組み合わせに対応し、所定のセットは第一の偏波状態にある第一の数Ｐ1のＣＳＩ−ＲＳポートと第二の偏波状態にある第二の数Ｐ2のＣＳＩ−ＲＳポートとを含み、第一および第二の偏波状態は異なる、所定のセットからサブセットを選択し、第一および第二の偏波状態をそれぞれ有するＣＳＩ−ＲＳポートの比が、第一および第二の数の比と等しくなるようなやり方で、サブセットをＱ個のＣＳＩ−ＲＳポートに設定する、動作を実行する。
【０１５９】
特定の実施形態によれば、非一過性のコンピュータ可読媒体に格納された命令を含むコンピュータプログラム製品であって、プロセッサによって実行された場合に、第一のネットワークノードによってサービスされる間、第一のネットワークノードから特定のリソースエレメントのセットで参照信号を受信して第一のネットワークノードへフィードバック情報を送信し、ここで参照信号または参照信号とリソースエレメントのセットとの組み合わせは識別子を示し、第一のネットワークノードとは異なる第二のネットワークノードによってサービスされる間、第二のネットワークノードから当該特定のリソースエレメントのセットで参照信号を受信して第二のネットワークノードへフィードバック情報を送信し、ここで参照信号または参照信号とリソースエレメントのセットとの組み合わせは識別子を示す、動作を実行する。参照信号は、識別子の同一性に関わらず、第一および第二のネットワークノードから異なるビームフォーミングで受信される。
【０１６０】
特定の実施形態によれば、非一過性のコンピュータ可読媒体に格納された命令を含むコンピュータプログラム製品であって、プロセッサによって実行された場合に、ネットワークノードから、それぞれＮ個のＣＳＩ−ＲＳポートを有するＫ個のＣＳＩ参照信号の構成と、Ｐ個のアンテナポートを有するネットワークノードのアンテナ構成とを含むＣＳＩ−ＲＳセットアップを受信し、ここでネットワークノードは無線機器に信号を送信するためのＰ＝８個またはＰ＞８個のアンテナポートを備え、Ｐ個のアンテナポートからＱ個のアンテナポートのサブセットを決定し、アンテナポートのサブセットに関連付けられた参照信号に基づきチャネル情報を測定し、ネットワークノードに測定したチャネル情報を報告する、動作を実行する。
【０１６１】
本開示の特定の実施形態は、１以上の技術的優位性を提供してもよい。一例として、特定の実施形態では、定期的なＣＳＩ報告のためのＣＳＩ−ＲＳポートを構成するための付加的なシグナリングを有利には必要としなくてもよい。別の例として、第一のタイプのフィードバックのために用いられるポートが第二のタイプのフィードバックのために用いるサブセットのポートであるため、レガシー端末は、付加的なＣＳＩ−ＲＳオーバーヘッドなしに、端末をサポートするＦＤ−ＭＩＭＯとしての同一のｅＮＢアンテナアレイでサポートされうる。さらに別の例として、前半のアンテナポートが１つの偏波であり、後半のアンテナポートが異なる偏波である、交差偏波アンテナアレイについて設計されたコードブックは、第一のタイプおよび第二のタイプのフィードバックの両方に対して用いられうる。
【０１６２】
本開示の範囲から逸脱することなく、本明細書で説明したシステム及び装置に変更、追加または省略が行われてもよい。システムおよび装置のコンポーネントは統合または分離されてもよい。さらに、システムおよび装置の動作は、より多くの、より少ない、または他のコンポーネントによって実行されてもよい。付加的に、システムおよび装置の動作は、ソフトウェア、ハードウェア、および／または論理回路を含む任意の適切な論理回路を用いて実行されてもよい。本明細書で用いられるように、「各」はセットの各メンバーまたはセットのサブセットの各メンバーを指す。
【０１６３】
本開示の範囲から逸脱することなく、本明細書で説明した方法に変更、追加または省略が行われてもよい。方法はより多い、より少ない、または他のステップを含んでもよい。付加的に、ステップは任意の適切な順番で実行されてもよい。
【０１６４】
本開示は特定の実施形態に関して説明されたが、実施形態の変更および置換は当業者には明らかであろう。したがって、実施形態の上述の説明は本開示を制限しない。以下の請求項によって定義されるように、本開示の精神および範囲から逸脱することなく、他の交換、置換、および変更が可能である。
【０１６５】
前の説明で使用されている略語：
ＡＲＱ  自動再送要求
ＣＱＩ  チャネル品質インジケータ
ＣＳＩ  チャネル状態情報
ＣＳＩ−ＲＳ  チャネル状態情報参照信号
ＤＦＴ  離散フーリエ変換
ＬＴＥ  ロング・ターム・エボリューション
ＭＩＭＯ  Ｍｕｌｔｉｐｌｅ  Ｉｎｐｕｔ  Ｍｕｌｔｉｐｌｅ  Ｏｕｔｐｕｔ
ＯＣＣ  直交カバーコード
ＯＦＤＭ  直交周波数分割多重
ＰＭＩ  プリコーディング・マトリックス・インジケータ
ＰＵＣＣＨ  物理アップリンク制御チャネル
ＲＩ  ランクインジケータ
ＳＩＮＲ  信号対干渉比
ＴＦＲＥ  時間周波数リソースエレメント
ＵＥ  ユーザ装置
【図１】
2018533865.tif 000036
【図２】
2018533865.tif 000037
【図３】
2018533865.tif 000038
【図４】
2018533865.tif 000039
【図５】
2018533865.tif 000040
【図６Ａ】
2018533865.tif 000041
【図６Ｂ】
2018533865.tif 000042
【図６Ｃ】
2018533865.tif 000043
【図７】
2018533865.tif 000044
【図８】
2018533865.tif 000045
【図９】
2018533865.tif 000046
【図１０】
2018533865.tif 000047
【図１１】
2018533865.tif 000048
【図１２】
2018533865.tif 000049
【図１３】
2018533865.tif 000050
【図１４】
2018533865.tif 000051
【図１５】
2018533865.tif 000052
【図１６】
2018533865.tif 000053
【図１７】
2018533865.tif 000054
【図１８】
2018533865.tif 000055
【図１９】
2018533865.tif 000056
【図２０】
2018533865.tif 000057
【図２１】
2018533865.tif 000058
【図２２】
2018533865.tif 000059
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
チャネル情報を受信するためのＰ個のＣＳＩ−ＲＳポートの所定のセットからサブセットを選択するネットワークノード（１１５）における方法であって、
前記ネットワークノードは無線通信ネットワーク（１００）のネットワークノードであり、偏波を制御可能なアンテナアレイを備え、
各ＣＳＩ−ＲＳポートは、リソースエレメントのセットおよび前記アンテナアレイのアンテナポートの組み合わせに対応し、（ａ）フィードバック信号に明示的に示される、（ｂ）フィードバック信号の内部構造から暗示的に導出可能である、または（ｃ）フィードバック信号を送信するために利用されるリソースから暗示的に導出可能である、識別子に関連付けられ、
前記所定のセットは、第一の所定範囲内の識別子に関連付けられた第一の偏波状態にある第一の数  Ｐ1のＣＳＩ−ＲＳポートと、第二の所定範囲内の識別子に関連付けられた第二の偏波状態にある第二の数  Ｐ2のＣＳＩ−ＲＳポートを含み、前記第一の偏波状態と前記第二の偏波状態とは異なり、
前記方法は、
前記第一の偏波状態および前記第二の偏波状態をそれぞれ有するＣＳＩ−ＲＳポートの比が、前記第一の数と前記第二の数との比と等しくなるようなやり方で、前記サブセットをＱ個のＣＳＩ−ＲＳポートに設定することであって、以下の（ｉ）前記サブセットは前記第一の所定範囲の下部のＱ／２個のＣＳＩ−ＲＳポートと前記第二の所定範囲の下部のＱ／２個のＣＳＩ−ＲＳポートとに設定される、（ｉｉ）前記サブセットは前記第一の所定範囲の上部のＱ／２個のＣＳＩ−ＲＳポートと前記第二の所定範囲の上部のＱ／２個のＣＳＩ−ＲＳポートとに設定される、の何れかが成り立つ、設定することと、
第一のタイプのフィードバックが利用可能である場合、前記サブセットのＣＳＩ−ＲＳポートで参照信号を送信することと、
第二のタイプのフィードバックが利用可能である場合、前記所定のセットのＣＳＩ−ＲＳポートで参照信号を送信することと、
を含むことを特徴とする方法。
【請求項２】
前記サブセットは、前記第一の偏波状態を有するＱＰ1／（Ｐ1＋Ｐ2）個のＣＳＩ−ＲＳポートと、前記第二の偏波状態を有するＱＰ2／（Ｐ1＋Ｐ2）個のＣＳＩ−ＲＳポートとに設定されることを特徴とする請求項１に記載の方法。
【請求項３】
Ｐ1＝Ｐ2であり、前記サブセットは前記第一の偏波状態および第二の偏波状態と等しい比率のＣＳＩ−ＲＳポートに設定されることを特徴とする請求項１または２に記載の方法。
【請求項４】
Ｐ1＋Ｐ2＝Ｐであることを特徴とする請求項１乃至３の何れか１項に記載の方法。
【請求項５】
前記サブセットの半分の前記ＣＳＩ−ＲＳポートは前記第一の偏波状態を有し、前記サブセットの半分の前記ＣＳＩ−ＲＳポートは前記第二の偏波状態を有することを特徴とする請求項３を参照する請求項４に記載の方法。
【請求項６】
Ｑ≦８であることを特徴とする請求項１乃至５の何れか１項に記載の方法。
【請求項７】
Ｑが２の倍数であることを特徴とする請求項１乃至６の何れか１項に記載の方法。
【請求項８】
Ｑ＝２、Ｑ＝４、またはＱ＝８であることを特徴とする請求項７に記載の方法。
【請求項９】
前記識別子は、前記ネットワークノードが、このＣＳＩ−ＲＳポートで前記ネットワークノードによって送信される参照信号に関するフィードバックを識別することを可能にすることを特徴とする請求項１乃至８の何れか１項に記載の方法。
【請求項１０】
前記第二のタイプの前記フィードバックは３ＧＰＰリリース１３に従うクラスＡのＣＳＩ報告であること、
前記第一のタイプのフィードバックは最大８個のアンテナポートをサポートするＣＳＩ報告であること、
の少なくとも何れか１つが成立することを特徴とする請求項１に記載の方法。
【請求項１１】
前記ＣＳＩ−ＲＳポートの前記識別子は順序付けられたセットから選択されることを特徴とする請求項９に記載の方法。
【請求項１２】
前記順序付けられたセットは、
整数のサブセット、
アルファベットのサブセット、の何れか１つであることを特徴とする請求項１１に記載の方法。
【請求項１３】
前記サブセットの前記設定は、前記ＣＳＩ−ＲＳポートが関連付けられた前記識別子を保つことを含むことを特徴とする請求項１乃至１２の何れか１項に記載の方法。
【請求項１４】
前記第一のタイプのフィードバックは定期的なＣＳＩ報告であることと、
前記第二のタイプのフィードバックは不定期なＣＳＩ報告であることと、
の少なくとも何れか１つが成立することを特徴とする請求項１に記載の方法。
【請求項１５】
各ＣＳＩ−ＲＳポートは、以下で与えられるポート番号である識別子に関連付けられ、
2018533865.tif 000060
ここで、ＫはＣＳＩ参照信号の構成の数であり、ｋは［０，Ｋ−１］の任意の整数であり、ＮはＫ個の構成のそれぞれのアンテナポートまたは参照信号の数である偶数であり、ｒは［１５，１４＋Ｎ］の任意の整数であることを特徴とする請求項１乃至１４の何れか１項に記載の方法。
【請求項１６】
前記設定することは、前記サブセットを、前記第一の所定範囲の下側部分のいくつかのＣＳＩ−ＲＳポートと、前記第二の所定範囲の下側部分の等しい数のＣＳＩ−ＲＳポートに設定され、前記サブセットの各ＣＳＩ−ＲＳポートは、以下で与えられるポート番号ｐである識別子に関連付けられ、
2018533865.tif 000061
ここで、ＫはＣＳＩ参照信号の構成の数であり、ｋは［０，Ｋ−１］の任意の整数であり、ＮはＫ個の前記構成のそれぞれのアンテナポートまたは参照信号の数である偶数であり、ｒは［１５，１４＋Ｎ］の任意の整数であることを特徴とする請求項１に記載の方法。
【請求項１７】
前記サブセットは、数式１で与えられるポート番号を有するＣＳＩ−ＲＳポートを備えることを特徴とする請求項１５に記載の方法。
【請求項１８】
前記サブセットは、以下で与えられるポート番号に関連付けられたＱ個のＣＳＩ−ＲＳポートに設定され、
2018533865.tif 000062
ここではｋは
2018533865.tif 000063
かつＱ≧Ｎに制限されることを特徴とする請求項１５に記載の方法。
【請求項１９】
ＣＳＩ−ＲＳポートを、代替識別子であって、前記順序付けられたセットから選択され、前記ネットワークノードがＣＳＩ−ＲＳポートで前記ネットワークノードによって送信されるＣＳＩ参照信号に関する第一のタイプのフィードバックを識別することを可能にする、代替識別子に関連付けることをさらに含むことを特徴とする請求項１乃至１８の何れか１項に記載の方法。
【請求項２０】
前記識別子は、前記代替識別子によって保たれる、前記ＣＳＩ−ＲＳポートの順序を定義することを特徴とする請求項１９に記載の方法。
【請求項２１】
前記代替識別子は連続していることを特徴とする請求項２０に記載の方法。
【請求項２２】
前記代替識別子ｐ’は、以下によって与えられ、
2018533865.tif 000064
ここでｑ＝０は前記第一の偏波状態であり、ｑ＝１は前記第二の偏波状態であることを特徴とする、請求項１８を参照する請求項１９に記載の方法。
【請求項２３】
集約されたリソースおよびポート番号を前記サブセットの各ＣＳＩ−ＲＳポートに割当てることをさらに含むことを特徴とする請求項１乃至２２の何れか１項に記載の方法。
【請求項２４】
前記サブセット内のＣＳＩ−ＲＳポートの数Ｑは前記所定のセット内のＣＳＩ−ＲＳポートの数Ｐの関数として決定することをさらに含むことを特徴とする請求項１乃至２３の何れか１項に記載の方法。
【請求項２５】
前記決定することが、
Ｑ＜ＰとなるようＱ≦８を選択すること、
Ｑ＜ＰとなるようＱ∈｛２，４，８｝を選択すること、
Ｑ＜Ｐとなるよう最大のＱ≦８を選択すること、
Ｑ＜Ｐとなるよう最大のＱ∈｛２，４，８｝を選択すること、の何れか１つを含むことを特徴とする請求項２４に記載の方法。
【請求項２６】
前記方法は、２つの軸に沿って配置されるアンテナエレメントを有するアンテナアレイを備えるネットワークノードに実装されることを特徴とする請求項１乃至２５の何れか１項に記載の方法。
【請求項２７】
第一の偏波状態は１つの偏波方向を有するアンテナエレメントのリニアアレイに対応し、前記第二の偏波状態は第二の偏波方向を有するアンテナエレメントのリニアアレイに対応することを特徴とする請求項２６に記載の方法。
【請求項２８】
前記アンテナアレイは交差偏波アンテナエレメントを含むことを特徴とする請求項２７に記載の方法。
【請求項２９】
無線通信ネットワークの無線機器（１１０）からフィードバックを受信することをさらに含むことを特徴とする請求項１乃至２８の何れか１項に記載の方法。
【請求項３０】
第一または第二のタイプのフィードバックが利用可能であるか否かを決定することとをさらに含むことを特徴とする請求項２９に記載の方法。
【請求項３１】
両方のタイプの報告のための共通したコードブックを用いることをさらに含むことを特徴とする請求項３０に記載の方法。
【請求項３２】
前記第一のタイプの報告のための第一のコードブックと、前記第二のタイプの報告のための第二のコードブックとを用いることをさらに含むことを特徴とする請求項３０に記載の方法。
【請求項３３】
前記第一のタイプのフィードバックは定期的なＣＳＩ報告であることを特徴とする請求項３０乃至３２の何れか１項に記載の方法。
【請求項３４】
前記無線機器に、前記ネットワークノードが構成されるアンテナポートの数Ｐを通知し、Ｐ個のＣＳＩ−ＲＳポートであって、Ｋ個の集約されたＮポートのＣＳＩ−ＲＳ構成であるＣＳＩ−ＲＳポートの合計に対応するＣＳＩ−ＲＳポートのセットアップを通知し、ここでＫは利用可能なＣＳＩ参照信号の構成の数である、通知する初期ステップをさらに含むことを特徴とする請求項１乃至３３の何れか１項に記載の方法。
【請求項３５】
集約されたリソースごとにＮ個のポートが構成され、前記方法は、
前記サブセットから、ｋ番目のコンポーネントリソースに対して、数式１によって与えられるポート数ｐに関連付けられたＣＳＩ−ＲＳポートを用いることをさらに含むことを特徴とする請求項１に記載の方法。
【請求項３６】
前記第一の偏波状態にある前記ＣＳＩ−ＲＳポートは前記第二の偏波状態にある前記ＣＳＩ−ＲＳポートとは異なり、第一の共位相係数は前記第一の偏波状態で前記ＣＳＩ−ＲＳポートに印加され、異なる第二の共位相係数は前記第二の偏波状態で前記ＣＳＩ−ＲＳポートに印加されることを特徴とする請求項１乃至３５の何れか１項に記載の方法。
【請求項３７】
前記第一の共位相係数、前記第二の共位相係数、またはその両方は、前記アンテナアレイのアンテナポートの数Ｐとは独立の所定の値のセットから選択されることを特徴とする請求項３６に記載の方法。
【請求項３８】
無線通信ネットワークのネットワークノード（１１５）によってサービスされる無線機器（１１０）の方法であって、前記ネットワークノードは前記無線機器に信号を送信するためのＰ＝８またはＰ＞８であるアンテナポートを備え、前記方法は、
それぞれＮ個のＣＳＩ−ＲＳポートであって、各ＣＳＩ−ＲＳポートが（ａ）フィードバック信号に明示的に示される、（ｂ）フィードバック信号の内部構造から暗示的に導出可能である、または（ｃ）フィードバック信号を送信するために利用されるリソースから暗示的に導出可能である、の何れかである識別子に関連付けられた、それぞれＮ個のＣＳＩ−ＲＳポートを有するＫ個のＣＳＩ−ＲＳ構成と、Ｐ個のアンテナポートを有する前記ネットワークノードのアンテナ構成とを含むＣＳＩ−ＲＳセットアップを前記ネットワークノードから受信することと、
Ｑ個のアンテナポートのサブセットを前記Ｐ個のアンテナポートから決定することと、
第一のタイプのフィードバックが利用可能である場合、アンテナポートの前記サブセットに関連付けられた参照信号に基づきチャネル情報を測定することと、
第二のタイプのフィードバックが利用可能である場合、前記Ｐ個のアンテナポートに関連付けられた前記参照信号に基づきチャネル情報を測定することと、
前記ネットワークノードへ前記測定されたチャネル情報を報告することと、を含み、
（ｉ）前記サブセットは識別子の第一の所定範囲の下部のＱ／２個のＣＳＩ−ＲＳポートと識別子の第二の所定範囲の下部のＱ／２個のＣＳＩ−ＲＳポートとを含むこと、（ｉｉ）前記サブセットは前記第一の所定範囲の上部のＱ／２個のＣＳＩ−ＲＳポートと前記第二の所定範囲の上部のＱ／２個のＣＳＩ−ＲＳポートとを含むこと、の何れかが成り立ち、
前記第一の所定範囲および前記第二の所定範囲の前記識別子は、それぞれ第一の偏波状態および第二の偏波状態を有するＣＳＩ−ＲＳポートに関連付けられる、
ことを特徴とする方法。
【請求項３９】
前記ＣＳＩ−ＲＳセットアップの前記アンテナ構成はＰ個のＣＳＩ−ＲＳポートを含み、
Ｑ個のポートのサブセットを決定することは、前記Ｐ個のＣＳＩ−ＲＳポートから、第一のサブセットのＰ／２個のＣＳＩ−ＲＳポートと、第二のサブセットのＰ／２個のＣＳＩ−ＲＳポートとを決定することを含み、
前記第一のサブセットは、前記Ｋ個のＣＳＩ−ＲＳ構成のそれぞれからのＮ／２個のＣＳＩ−ＲＳポートを含み、Ｎは偶数であり、
前記第二のサブセットは、前記Ｋ個のＣＳＩ−ＲＳ構成のそれぞれの残りのＮ／２個のＣＳＩ−ＲＳポートを含むことを特徴とする請求項３８に記載の方法。
【請求項４０】
前記第一のサブセットは、状態情報フィードバックに用いられるコードブック内の長さＰ／２の第一のベクトルに対応し、前記ベクトルは、前記コードブックの取りうる値のセットから選択され、
前記第二のサブセットは長さＰ／２の前記第一のベクトルを複素数でスケーリングすることで取得可能な長さＰ／２の第二のベクトルに対応し、
長さＰ／２の前記第一のベクトルおよび前記第二のベクトルはそれぞれ共偏波アンテナのセットに印加されることを特徴とする請求項３９に記載の方法。
【請求項４１】
前記決定することは、前記第一のサブセットを以下のようにインデックスを付けられるＣＳＩ−ＲＳポートとして形成し、
2018533865.tif 000065
前記第二のサブセットを以下のようにインデックスを付けられるＣＳＩ−ＲＳポートとして形成し、
2018533865.tif 000066
両方のサブセットに対して、ｋはｋ＝０，１，…Ｋ−１となるよう前記Ｋ個のＣＳＩ−ＲＳ構成の範囲を変化することを特徴とする請求項３９または４０に記載の方法。
【請求項４２】
前記第一のタイプのフィードバックが利用可能である場合、前記測定することと報告することとが定期的に実行されることを特徴とする請求項３８乃至４１の何れか１項に記載の方法。
【請求項４３】
前記決定することは、ポートが以下のようにインデックスを付けられる、前記Ｑ個のアンテナポートを導出することを含み、
2018533865.tif 000067
ここではｋは
2018533865.tif 000068
に制限され、Ｎは偶数であることを特徴とする請求項３８乃至４２の何れか１項に記載の方法。
【請求項４４】
前記決定することは前記Ｑ個のアンテナポートを導出することを含み、ポートは前記Ｐ個のアンテナポートから、所定の規則に従い、数式１に従ってインデックスを付けられることを特徴とする請求項３８乃至４３の何れか１項に記載の方法。
【請求項４５】
前記導出されたＱ個のアンテナポートの前記インデックスは、Ｎが偶数であるＱ／２個のポートの前記第二のセット
2018533865.tif 000069
がポート｛１５＋Ｑ／２，…，１５＋Ｑ｝となるよう再度インデックス付けられるように再度順序付けられることを特徴とする請求項４３または４４に記載の方法。
【請求項４６】
前記測定することは、Ｑ個のポートのための所定のコードブックに基づき、ポートの前記サブセットに関連付けられた受信参照信号にわたって前記チャネル情報を推定することを含むことを特徴とする請求項３８に記載の方法。
【請求項４７】
ネットワークノード（１１５）であって、
偏波を制御可能なアンテナアレイと、
１つ以上のプロセッサであって、
チャネル情報を受信するためのＰ個のＣＳＩ−ＲＳポートの所定のセットであって、各ＣＳＩ−ＲＳポートは、リソースエレメントのセットと前記アンテナアレイのアンテナポートとの組み合わせに対応し、（ａ）フィードバック信号に明示的に示される、（ｂ）フィードバック信号の内部構造から暗示的に導出可能である、または（ｃ）フィードバック信号を送信するために利用されるリソースから暗示的に導出可能である、識別子に関連付けられ、前記所定のセットは第一の所定範囲内の識別子に関連付けられた第一の偏波状態にある第一の数  Ｐ1のＣＳＩ−ＲＳポートと第二の所定範囲内の識別子に関連付けられた第二の偏波状態にある第二の数  Ｐ2のＣＳＩ−ＲＳポートとを含み、前記第一の偏波状態と前記第二の偏波状態とは異なる、所定のセットからサブセットを選択し、
前記第一の偏波状態および前記第二の偏波状態をそれぞれ有するＣＳＩ−ＲＳポートの比が、前記第一の数と前記第二の数との比と等しくなるようなやり方で、前記サブセットをＱ個のＣＳＩ−ＲＳポートに設定し、以下の（ｉ）前記サブセットは前記第一の所定範囲の下部のＱ／２個のＣＳＩ−ＲＳポートと前記第二の所定範囲の下部のＱ／２個のＣＳＩ−ＲＳポートとに設定される、（ｉｉ）前記サブセットは前記第一の所定範囲の上部のＱ／２個のＣＳＩ−ＲＳポートと前記第二の所定範囲の上部のＱ／２個のＣＳＩ−ＲＳポートとに設定される、の何れかが成り立ち、
第一のタイプのフィードバックが利用可能である場合、前記サブセットのＣＳＩ−ＲＳポートで参照信号を送信し、
第二のタイプのフィードバックが利用可能である場合、前記所定のセットのＣＳＩ−ＲＳポートで参照信号を送信する、
ように構成されるプロセッサと、を備えることを特徴とするネットワークノード。
【請求項４８】
無線通信ネットワークにおいてネットワークノード（１１５）によってサービスされるよう構成された無線機器（１１０）であって、前記ネットワークノードは前記無線機器に信号を送信するためのＰ＝８またはＰ＞８のアンテナポートを備え、前記無線機器は、
１つ以上のプロセッサであって、
それぞれＮ個のＣＳＩ−ＲＳポートであって、各ＣＳＩ−ＲＳポートが（ａ）フィードバック信号に明示的に示される、（ｂ）フィードバック信号の内部構造から暗示的に導出可能である、または（ｃ）フィードバック信号を送信するために利用されるリソースから暗示的に導出可能である、の何れかである識別子に関連付けられた、それぞれＮ個のＣＳＩ−ＲＳポートを有するＫ個のＣＳＩ−ＲＳ構成と、Ｐ個のアンテナポートを有する前記ネットワークノードのアンテナ構成とを含むＣＳＩ−ＲＳセットアップを、前記ネットワークノードから受信し、
Ｑ個のアンテナポートのサブセットを前記Ｐ個のアンテナポートから決定し、
第一のタイプのフィードバックが利用可能である場合、アンテナポートの前記サブセットに関連付けられた前記参照信号に基づきチャネル情報を測定し、
第二のタイプのフィードバックが利用可能である場合、前記Ｐ個のアンテナポートに関連付けられた前記参照信号に基づきチャネル情報を測定し、
前記ネットワークノードへ前記測定されたチャネル情報を報告するよう構成された、１つ以上のプロセッサを備え、
（ｉ）前記サブセットは識別子の第一の所定範囲の下部のＱ／２個のＣＳＩ−ＲＳポートと識別子の第二の所定範囲の下部のＱ／２個のＣＳＩ−ＲＳポートとを含むこと、（ｉｉ）前記サブセットは前記第一の所定範囲の上部のＱ／２個のＣＳＩ−ＲＳポートと前記第二の所定範囲の上部のＱ／２個のＣＳＩ−ＲＳポートとを含むこと、の何れかが成り立ち、
前記第一の所定範囲および前記第二の所定範囲の前記識別子は、それぞれ第一の偏波状態および第二の偏波状態を有するＣＳＩ−ＲＳポートに関連付けられることを特徴とする無線機器。
【請求項４９】
非一過性のコンピュータ可読媒体に格納された命令を含むコンピュータプログラム製品であって、プロセッサによって実行された場合に、請求項１に記載の方法の動作を実行することを特徴とするコンピュータプログラム製品。
【請求項５０】
非一過性のコンピュータ可読媒体に格納された命令を含むコンピュータプログラム製品であって、プロセッサによって実行された場合に、請求項３９に記載の方法の動作を実行することを特徴とするコンピュータプログラム製品。
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
チャネル情報を受信するためのＰ個のＣＳＩ−ＲＳポートの所定のセットからサブセットを選択するネットワークノード（１１５）における方法であって、
前記ネットワークノードは無線通信ネットワーク（１００）のネットワークノードであり、偏波を制御可能なアンテナアレイを備え、
各ＣＳＩ−ＲＳポートは、リソースエレメントのセットおよび前記アンテナアレイのアンテナポートの組み合わせに対応し、（ａ）フィードバック信号に明示的に示される、（ｂ）フィードバック信号の内部構造から暗示的に導出可能である、または（ｃ）フィードバック信号を送信するために利用されるリソースから暗示的に導出可能である、識別子に関連付けられ、
前記所定のセットは、第一の所定範囲内の識別子に関連付けられた第一の偏波状態にある第一の数Ｐ1のＣＳＩ−ＲＳポートと、第二の所定範囲内の識別子に関連付けられた第二の偏波状態にある第二の数Ｐ2のＣＳＩ−ＲＳポートを含み、前記第一の偏波状態と前記第二の偏波状態とは異なり、
前記方法は、
前記第一の偏波状態および前記第二の偏波状態をそれぞれ有するＣＳＩ−ＲＳポートの比が、前記第一の数と前記第二の数との比と等しくなるようなやり方で、前記サブセットをＱ個のＣＳＩ−ＲＳポートに設定することであって、以下の（ｉ）前記サブセットは前記第一の所定範囲の下部のＱ／２個のＣＳＩ−ＲＳポートと前記第二の所定範囲の下部のＱ／２個のＣＳＩ−ＲＳポートとに設定される、（ｉｉ）前記サブセットは前記第一の所定範囲の上部のＱ／２個のＣＳＩ−ＲＳポートと前記第二の所定範囲の上部のＱ／２個のＣＳＩ−ＲＳポートとに設定される、の何れかが成り立つ、設定することと、
第一のタイプのフィードバックが利用可能である場合、前記サブセットのＣＳＩ−ＲＳポートで参照信号を送信することと、
第二のタイプのフィードバックが利用可能である場合、前記所定のセットのＣＳＩ−ＲＳポートで参照信号を送信することと、
を含むことを特徴とする方法。
【請求項２】
前記サブセットは、前記第一の偏波状態を有するＱＰ1／（Ｐ1＋Ｐ2）個のＣＳＩ−ＲＳポートと、前記第二の偏波状態を有するＱＰ2／（Ｐ1＋Ｐ2）個のＣＳＩ−ＲＳポートとに設定されることを特徴とする請求項１に記載の方法。
【請求項３】
Ｐ1＝Ｐ2であり、前記サブセットは前記第一の偏波状態および第二の偏波状態と等しい比率のＣＳＩ−ＲＳポートに設定され、
前記サブセットの半分の前記ＣＳＩ−ＲＳポートは前記第一の偏波状態を有し、前記サブセットの半分の前記ＣＳＩ−ＲＳポートは前記第二の偏波状態を有することを特徴とする請求項１または２に記載の方法。
【請求項４】
前記識別子は、前記ネットワークノードが、このＣＳＩ−ＲＳポートで前記ネットワークノードによって送信される参照信号に関するフィードバックを識別することを可能にし、前記ＣＳＩ−ＲＳポートの前記識別子は順序付けられたセットから選択されることを特徴とする請求項１乃至３の何れか１項に記載の方法。
【請求項５】
前記サブセットの前記設定は、前記ＣＳＩ−ＲＳポートが関連付けられた前記識別子を保つことを含むことを特徴とする請求項１乃至４の何れか１項に記載の方法。
【請求項６】
各ＣＳＩ−ＲＳポートは、以下で与えられるポート番号である識別子に関連付けられ、
2018533865.tif 000070
ここで、ＫはＣＳＩ参照信号の構成の数であり、ｋは［０，Ｋ−１］の任意の整数であり、ｋは
2018533865.tif 000071
かつＱ≧Ｎに制限され、ＮはＫ個の構成のそれぞれのアンテナポートまたは参照信号の数である偶数であり、ｒは［１５，１４＋Ｎ］の任意の整数であることを特徴とする請求項１乃至５の何れか１項に記載の方法。
【請求項７】
ＣＳＩ−ＲＳポートを、代替識別子であって、前記順序付けられたセットから選択され、前記ネットワークノードがＣＳＩ−ＲＳポートで前記ネットワークノードによって送信されるＣＳＩ参照信号に関する第一のタイプのフィードバックを識別することを可能にする、代替識別子に関連付けることをさらに含み、前記識別子は、連続してする前記代替識別子によって保たれる、前記ＣＳＩ−ＲＳポートの順序を定義することを特徴とする請求項４に記載の方法。
【請求項８】
前記代替識別子  ｐ’は、以下によって与えられ、
2018533865.tif 000072
ここでｑ＝０は前記第一の偏波状態であり、ｑ＝１は前記第二の偏波状態であることを特徴とする、請求項７に記載の方法。
【請求項９】
集約されたリソースおよびポート番号を前記サブセットの各ＣＳＩ−ＲＳポートに割当てることをさらに含むことを特徴とする請求項１乃至８の何れか１項に記載の方法。
【請求項１０】
前記方法は、２つの軸に沿って配置されるアンテナエレメントを有するアンテナアレイを備えるネットワークノードに実装され、
第一の偏波状態は１つの偏波方向を有するアンテナエレメントのリニアアレイに対応し、前記第二の偏波状態は第二の偏波方向を有するアンテナエレメントのリニアアレイに対応し、
前記アンテナアレイは交差偏波アンテナエレメントを含む、
ことを特徴とする請求項１乃至９の何れか１項に記載の方法。
【請求項１１】
無線通信ネットワークの無線機器（１１０）からフィードバックを受信することと、第一または第二のタイプのフィードバックが利用可能であるか否かを決定することと、をさらに含むことを特徴とする請求項１乃至１０の何れか１項に記載の方法。
【請求項１２】
両方のタイプの報告のための共通したコードブックを用いることをさらに含むことを特徴とする請求項１１に記載の方法。
【請求項１３】
前記第一のタイプの報告のための第一のコードブックと、前記第二のタイプの報告のための第二のコードブックとを用いることをさらに含むことを特徴とする請求項１１に記載の方法。
【請求項１４】
無線機器に、前記ネットワークノードが構成されるアンテナポートの数Ｐを通知し、Ｐ個のＣＳＩ−ＲＳポートであって、Ｋ個の集約されたＮポートのＣＳＩ−ＲＳ構成であるＣＳＩ−ＲＳポートの合計に対応するＣＳＩ−ＲＳポートのセットアップを通知し、ここでＫは利用可能なＣＳＩ参照信号の構成の数である、通知する初期ステップをさらに含むことを特徴とする請求項１乃至１３の何れか１項に記載の方法。
【請求項１５】
前記第一の偏波状態にある前記ＣＳＩ−ＲＳポートは前記第二の偏波状態にある前記ＣＳＩ−ＲＳポートとは異なり、第一の共位相係数は前記第一の偏波状態で前記ＣＳＩ−ＲＳポートに印加され、異なる第二の共位相係数は前記第二の偏波状態で前記ＣＳＩ−ＲＳポートに印加され、
前記第一の共位相係数、前記第二の共位相係数、またはその両方は、前記アンテナアレイのアンテナポートの数Ｐとは独立の所定の値のセットから選択されることを特徴とする請求項１乃至１４の何れか１項に記載の方法。
【請求項１６】
無線通信ネットワークのネットワークノード（１１５）によってサービスされる無線機器（１１０）の方法であって、前記ネットワークノードは前記無線機器に信号を送信するためのＰ＝８またはＰ＞８であるアンテナポートを備え、前記方法は、
それぞれＮ個のＣＳＩ−ＲＳポートであって、各ＣＳＩ−ＲＳポートが（ａ）フィードバック信号に明示的に示される、（ｂ）フィードバック信号の内部構造から暗示的に導出可能である、または（ｃ）フィードバック信号を送信するために利用されるリソースから暗示的に導出可能である、の何れかである識別子に関連付けられた、それぞれＮ個のＣＳＩ−ＲＳポートを有するＫ個のＣＳＩ−ＲＳ構成と、Ｐ個のアンテナポートを有する前記ネットワークノードのアンテナ構成とを含むＣＳＩ−ＲＳセットアップを前記ネットワークノードから受信することと、
Ｑ個のアンテナポートのサブセットを前記Ｐ個のアンテナポートから決定することと、
第一のタイプのフィードバックが利用可能である場合、アンテナポートの前記サブセットに関連付けられた参照信号に基づきチャネル情報を測定することと、
第二のタイプのフィードバックが利用可能である場合、前記Ｐ個のアンテナポートに関連付けられた前記参照信号に基づきチャネル情報を測定することと、
前記ネットワークノードへ前記測定されたチャネル情報を報告することと、
を含み、
（ｉ）前記サブセットは識別子の第一の所定範囲の下部のＱ／２個のＣＳＩ−ＲＳポートと識別子の第二の所定範囲の下部のＱ／２個のＣＳＩ−ＲＳポートとを含むこと、（ｉｉ）前記サブセットは前記第一の所定範囲の上部のＱ／２個のＣＳＩ−ＲＳポートと前記第二の所定範囲の上部のＱ／２個のＣＳＩ−ＲＳポートとを含むこと、の何れかが成り立ち、
前記第一の所定範囲および前記第二の所定範囲の前記識別子は、それぞれ第一の偏波状態および第二の偏波状態を有するＣＳＩ−ＲＳポートに関連付けられ、
前記第一のタイプのフィードバックが利用可能である場合、前記測定することと報告することとが定期的に実行されることを特徴とする方法。
【請求項１７】
前記ＣＳＩ−ＲＳセットアップの前記アンテナ構成はＰ個のＣＳＩ−ＲＳポートを含み、
Ｑ個のポートのサブセットを決定することは、前記Ｐ個のＣＳＩ−ＲＳポートから、第一のサブセットのＰ／２個のＣＳＩ−ＲＳポートと、第二のサブセットのＰ／２個のＣＳＩ−ＲＳポートとを決定することを含み、
前記第一のサブセットは、前記Ｋ個のＣＳＩ−ＲＳ構成のそれぞれからのＮ／２個のＣＳＩ−ＲＳポートを含み、Ｎは偶数であり、
前記第二のサブセットは、前記Ｋ個のＣＳＩ−ＲＳ構成のそれぞれの残りのＮ／２個のＣＳＩ−ＲＳポートを含むことを特徴とする請求項１６に記載の方法。
【請求項１８】
前記第一のサブセットは、状態情報フィードバックに用いられるコードブック内の長さＰ／２の第一のベクトルに対応し、前記第一のベクトルは、前記コードブックの取りうる値のセットから選択され、
前記第二のサブセットは長さＰ／２の前記第一のベクトルを複素数でスケーリングすることで取得可能な長さＰ／２の第二のベクトルに対応し、
長さＰ／２の前記第一のベクトルおよび前記第二のベクトルはそれぞれ共偏波アンテナのセットに印加されることを特徴とする請求項１７に記載の方法。
【請求項１９】
前記決定することは、前記第一のサブセットを以下のようにインデックスを付けられるＣＳＩ−ＲＳポートとして形成し、
2018533865.tif 000073
前記第二のサブセットを以下のようにインデックスを付けられるＣＳＩ−ＲＳポートとして形成し、
2018533865.tif 000074
ここでｋは
2018533865.tif 000075
に制限され、Ｎは偶数であり、
両方のサブセットに対して、ｋはｋ＝０，１，…Ｋ−１となるよう前記Ｋ個のＣＳＩ−ＲＳ構成の範囲を変化することを特徴とする請求項１７または１８に記載の方法。
【請求項２０】
導出された前記Ｑ個のアンテナポートの前記インデックスは、Ｎが偶数であるＱ／２個のポートの前記第二のサブセット
2018533865.tif 000076
がポート｛１５＋Ｑ／２，…，１５＋Ｑ｝となるよう再度インデックス付けられるように再度順序付けられることを特徴とする請求項１９に記載の方法。
【請求項２１】
前記測定することは、Ｑ個のポートのための所定のコードブックに基づき、ポートの前記サブセットに関連付けられた受信参照信号にわたって前記チャネル情報を推定することを含むことを特徴とする請求項１６に記載の方法。
【請求項２２】
ネットワークノード（１１５）であって、
偏波を制御可能なアンテナアレイと、
１つ以上のプロセッサであって、
チャネル情報を受信するためのＰ個のＣＳＩ−ＲＳポートの所定のセットであって、各ＣＳＩ−ＲＳポートは、リソースエレメントのセットと前記アンテナアレイのアンテナポートとの組み合わせに対応し、（ａ）フィードバック信号に明示的に示される、（ｂ）フィードバック信号の内部構造から暗示的に導出可能である、または（ｃ）フィードバック信号を送信するために利用されるリソースから暗示的に導出可能である、識別子に関連付けられ、前記所定のセットは第一の所定範囲内の識別子に関連付けられた第一の偏波状態にある第一の数Ｐ1のＣＳＩ−ＲＳポートと第二の所定範囲内の識別子に関連付けられた第二の偏波状態にある第二の数Ｐ2のＣＳＩ−ＲＳポートとを含み、前記第一の偏波状態と前記第二の偏波状態とは異なる、所定のセットからサブセットを選択し、
前記第一の偏波状態および前記第二の偏波状態をそれぞれ有するＣＳＩ−ＲＳポートの比が、前記第一の数と前記第二の数との比と等しくなるようなやり方で、前記サブセットをＱ個のＣＳＩ−ＲＳポートに設定し、以下の（ｉ）前記サブセットは前記第一の所定範囲の下部のＱ／２個のＣＳＩ−ＲＳポートと前記第二の所定範囲の下部のＱ／２個のＣＳＩ−ＲＳポートとに設定される、（ｉｉ）前記サブセットは前記第一の所定範囲の上部のＱ／２個のＣＳＩ−ＲＳポートと前記第二の所定範囲の上部のＱ／２個のＣＳＩ−ＲＳポートとに設定される、の何れかが成り立ち、
第一のタイプのフィードバックが利用可能である場合、前記サブセットのＣＳＩ−ＲＳポートで参照信号を送信し、
第二のタイプのフィードバックが利用可能である場合、前記所定のセットのＣＳＩ−ＲＳポートで参照信号を送信する、
ように構成されるプロセッサと、を備えることを特徴とするネットワークノード。
【請求項２３】
無線通信ネットワークにおいてネットワークノード（１１５）によってサービスされるよう構成された無線機器（１１０）であって、前記ネットワークノードは前記無線機器に信号を送信するためのＰ＝８またはＰ＞８のアンテナポートを備え、前記無線機器は、
１つ以上のプロセッサであって、
それぞれＮ個のＣＳＩ−ＲＳポートであって、各ＣＳＩ−ＲＳポートが（ａ）フィードバック信号に明示的に示される、（ｂ）フィードバック信号の内部構造から暗示的に導出可能である、または（ｃ）フィードバック信号を送信するために利用されるリソースから暗示的に導出可能である、の何れかである識別子に関連付けられた、それぞれＮ個のＣＳＩ−ＲＳポートを有するＫ個のＣＳＩ−ＲＳ構成と、Ｐ個のアンテナポートを有する前記ネットワークノードのアンテナ構成とを含むＣＳＩ−ＲＳセットアップを、前記ネットワークノードから受信し、
Ｑ個のアンテナポートのサブセットを前記Ｐ個のアンテナポートから決定し、
第一のタイプのフィードバックが利用可能である場合、アンテナポートの前記サブセットに関連付けられた参照信号に基づきチャネル情報を測定し、
第二のタイプのフィードバックが利用可能である場合、前記Ｐ個のアンテナポートに関連付けられた参照信号に基づきチャネル情報を測定し、
前記ネットワークノードへ前記測定されたチャネル情報を報告する、
よう構成された、１つ以上のプロセッサを備え、
（ｉ）前記サブセットは識別子の第一の所定範囲の下部のＱ／２個のＣＳＩ−ＲＳポートと識別子の第二の所定範囲の下部のＱ／２個のＣＳＩ−ＲＳポートとを含むこと、（ｉｉ）前記サブセットは前記第一の所定範囲の上部のＱ／２個のＣＳＩ−ＲＳポートと前記第二の所定範囲の上部のＱ／２個のＣＳＩ−ＲＳポートとを含むこと、の何れかが成り立ち、
前記第一の所定範囲および前記第二の所定範囲の前記識別子は、それぞれ第一の偏波状態および第二の偏波状態を有するＣＳＩ−ＲＳポートに関連付けられることを特徴とする無線機器。
【請求項２４】
コンピュータ可読記憶媒体に格納された命令を含むコンピュータプログラムであって、プロセッサによって実行された場合に、請求項１に記載の方法の動作を実行することを特徴とするコンピュータプログラム。
【請求項２５】
コンピュータ可読記憶媒体に格納された命令を含むコンピュータプログラムであって、プロセッサによって実行された場合に、請求項１６に記載の方法の動作を実行することを特徴とするコンピュータプログラム。
【国際調査報告】
2018533865.tif 000077
2018533865.tif 000078
2018533865.tif 000079
2018533865.tif 000080